(57)【要約】【課題】空調運転中に誤操作で昇降パネルを下降させる指令がなされても空調運転を継続する。【解決手段】この天井設置型の空調室内機は、リモコンの操作によってフラットパネルの下降指令がなされたか否かを判断し（ステップＳ１）、下降指令がなされた場合（ステップＳ１：Ｙｅｓ）、空調運転が停止中か否かを判断する（ステップＳ２）。そして、空調運転が停止中の場合（ステップＳ２：Ｙｅｓ）、下降指令を受け付けたことを示す報知音をスピーカから出力させて（ステップＳ３）、フラットパネルの下降を開始する（ステップＳ４）。これに対して、空調運転中の場合（ステップＳ２：Ｎｏ）、下降指令を受け付けなかったことを示す報知音をスピーカから出力させて（ステップＳ５）、当該下降指令を無視してフラットパネルの下降を開始しない。【選択図】図１９
2010043838.tif 000002
【特許請求の範囲】
【請求項１】
吸込口を有し、内部に空調機器を搭載する本体と、
前記本体に取り付けられる取付位置から移動可能な昇降パネルと、
前記昇降パネルを昇降させる昇降機構とを備え、
前記昇降パネルが前記取付位置にあるときに、前記空調機器の運転が行われている間は、前記昇降パネルを下降させる指令を受付けないことを特徴とする、天井設置型の空気調和機。
【請求項２】
前記空調機器は、送風機と、熱交換器と、前記吸込口から流入する空気に含まれる塵埃を捕集するフィルタに付着した塵埃を当該フィルタから離脱させるフィルタ清掃機構との少なくとも１つを含み、
前記昇降パネルが前記取付位置にあるときに、前記送風機と前記熱交換器と前記フィルタ清掃機構との少なくとも１つの運転が行われている間は、前記昇降パネルを下降させる指令を受付けないことを特徴とする、請求項１に記載の天井設置型の空気調和機。
【請求項３】
前記指令を入力するための入力部と、
前記入力部の操作に応じて当該操作に係る音声を出力する音声出力部とをさらに備え、
前記指令を受付けない状態で、前記指令に係る前記入力部の操作が行われたときに、前記音声出力部から当該指令を受付けなかったことを報知する報知音を出力することを特徴とする、請求項１又は２に記載の天井設置型の空気調和機。
【請求項４】
前記昇降パネルは、回動可能であって、空調運転中には前記吸込口を開くと共に空調運転停止時には前記吸込口を閉じるフラットパネルであることを特徴とする、請求項１〜３のいずれか１項に記載の天井設置型の空気調和機。
【請求項５】
前記昇降パネルは、格子状の格子パネルであることを特徴とする、請求項１〜３のいずれか１項に記載の天井設置型の空気調和機。
【請求項６】
前記吸込口から流入する空気に含まれる塵埃を捕集するフィルタと、
前記フィルタに付着した塵埃を回収するためのダストボックスとをさらに備え、
前記ダストボックスは、前記昇降パネルに載置され、前記昇降パネルと共に昇降することを特徴とする、請求項１〜５のいずれか１項に記載の天井設置型の空気調和機。
【請求項７】
前記ダストボックスに取り付けられ、前記フィルタに付着した塵埃を前記フィルタから掻き取るブラシをさらに備えることを特徴とする、請求項６に記載の天井設置型の空気調和機。
【請求項８】
前記空調機器の運転を開始又は停止させるタイマ予約機能を有するコントローラをさらに備え、
前記昇降パネルが下降又は上昇しているときに、前記空調機器の運転が開始する予約時刻になった場合、前記昇降パネルの下降又は上昇を終了させてから前記空調機器の運転を行うことを特徴とする、請求項１〜７のいずれか１項に記載の空気調和機。
【発明の詳細な説明】
【技術分野】
【０００１】
本発明は、メンテナンス時等に使用者の手が届く位置まで移動可能な昇降パネルを備えた天井設置型の空気調和機に関する。
【背景技術】
【０００２】
天井設置型の空気調和機の分野では、フィルタの清掃等のメンテナンスのために、リモコンの操作により、使用者の手が届く位置まで吸込グリル（昇降パネル）を下降させるものが知られている（例えば、特許文献１参照）。
【０００３】
しかしながら、昇降パネルの下降時に、空調運転を継続すれば、昇降パネルで覆われていたファンやファンの駆動部等がむき出しになり、メンテナンス時に使用者が当該駆動部等に触れてしまう恐れがある。また、昇降パネルの運転と空調機器の運転とを同時に行おうとすると、一時的に大きな電源を使用することになり、電源容量の関係で同時に昇降パネルの運転と空調機器の運転とを出来ない場合がある。
【０００４】
そこで、空調運転時に昇降パネルの下降指令がなされた場合、空調運転を一旦停止した後、昇降パネルの下降を開始する天井設置型の空気調和機が開発されている。
【先行技術文献】
【特許文献】
【０００５】
【特許文献１】特開平１１−２４２３号公報
【発明の概要】
【発明が解決しようとする課題】
【０００６】
しかしながら、空調運転を一旦停止した後、昇降パネルの下降を開始する天井設置型の空気調和機では、空調運転時に使用者がリモコンの操作を誤って昇降パネルの下降指令を行った場合でも、空調運転を一旦停止してしまうので、せっかく空気調和された居住空間を再度適切な環境にするまでに時間を要してしまうという問題がある。
【０００７】
そこで、この発明は、上記のような課題を解決するためになされたものであり、空調運転中に誤操作で昇降パネルを下降させる指令がなされても空調運転を継続することが可能な天井設置型の空気調和機を提供することを目的とする。
【課題を解決するための手段】
【０００８】
第１の発明にかかる天井設置型の空気調和機は、吸込口を有し、内部に空調機器を搭載する本体と、本体に取り付けられる取付位置から移動可能な昇降パネルと、昇降パネルを昇降させる昇降機構とを備え、昇降パネルが取付位置にあるときに、空調機器の運転が行われている間は、昇降パネルを下降させる指令を受付けない。
【０００９】
この天井設置型の空気調和機では、空調運転中に誤操作で昇降パネルを下降させる指令がなされても、当該指令を受け付けないので、そのまま空調機器の運転を継続することができる。その結果、当該指令を受け付けて空調機器の運転を中止する場合と異なり、空気調和された居住空間を再度適切な環境にするまでに時間を要するという不都合を解消することができる。
また、この天井設置型の空気調和機では、空調機器の運転が行われている間は、昇降パネルが本体の取付位置にあるので、本体内に組み込まれる当該空調機器やファン等の駆動部を当該昇降パネルで覆うことができる。これにより、安全性を確保することができる。
また、この天井設置型の空気調和機は、空調機器の運転と昇降パネルの昇降運転とを同時に行わないので、電源容量の小さい環境下でも、当該空気調和機を利用することができる。
【００１０】
また、第２の発明にかかる天井設置型の空気調和機は、第１の発明にかかる天井設置型の空気調和機において、空調機器は、送風機と、熱交換器と、吸込口から流入する空気に含まれる塵埃を捕集するフィルタに付着した塵埃を当該フィルタから離脱させるフィルタ清掃機構との少なくとも１つを含み、昇降パネルが取付位置にあるときに、送風機と熱交換器とフィルタ清掃機構との少なくとも１つの運転が行われている間は、昇降パネルを下降させる指令を受付けない。
【００１１】
この天井設置型の空気調和機では、送風機と熱交換器とフィルタ清掃機構との少なくとも１つの運転が行われている間は、昇降パネルが本体の取付位置にあるので、本体内に組み込まれる当該送風機、熱交換器及びフィルタ清掃機構を当該昇降パネルで覆うことができる。これにより、安全性を確保することができる。
また、この天井設置型の空気調和機は、送風機と熱交換器とフィルタ清掃機構との少なくとも１つの運転と昇降パネルの昇降運転とを同時に行わないので、電源容量の小さい環境下でも、当該空気調和機を利用することができる。
【００１２】
第３の発明にかかる天井設置型の空気調和機は、第１又は第２の発明にかかる天井設置型の空気調和機において、指令を入力するための入力部と、入力部の操作に応じて当該操作に係る音声を出力する音声出力部とをさらに備え、指令を受付けない状態で、指令に係る入力部の操作が行われたときに、音声出力部から当該指令を受付けなかったことを報知する報知音を出力する。
【００１３】
この天井設置型の空気調和機では、当該指令が受付けられなかったことを使用者に報知することができる。
【００１４】
第４の発明にかかる天井設置型の空気調和機は、第１〜第３のいずれかの発明にかかる天井設置型の空気調和機において、昇降パネルは、回動可能であって、空調運転中には吸込口を開くと共に空調運転停止時には吸込口を閉じるフラットパネルである。
【００１５】
上記したフラットパネルを用いて、空調運転とフラットパネルの下降運転とを同時に行えば、空調運転時における吸込口からの空気の吸い込みによりフラットパネルが本体側に吸い付いてしまう恐れがある。しかし、この天井設置型の空気調和機では、空調運転中にフラットパネルの下降を行わないので、吸込口を閉じる形状のフラットパネルを用いる場合でも、フラットパネルが本体側に吸い付く恐れがなく、フラットパネルのスムーズな下降を行うことができる。
【００１６】
第５の発明にかかる天井設置型の空気調和機は、第１〜第３のいずれかの発明のいずれかにかかる天井設置型の空気調和機において、昇降パネルは、格子状の格子パネルである。
【００１７】
この天井設置型の空気調和機では、格子部分を介して空気を吸い込むことができるので、吸込口を開閉する機構を必要とするフラットパネル等に比べて、構成が簡単になる。
【００１８】
第６の発明にかかる天井設置型の空気調和機は、第１〜第５の発明のいずれかにかかる天井設置型の空気調和機において、吸込口から流入する空気に含まれる塵埃を捕集するフィルタと、フィルタに付着した塵埃を回収するためのダストボックスとをさらに備え、ダストボックスは、昇降パネルに載置され、昇降パネルと共に昇降する。
【００１９】
この天井設置型の空気調和機では、昇降パネルと共にダストボックスが下降するので、メンテナンスが容易になる。
【００２０】
第７の発明にかかる天井設置型の空気調和機は、第６の発明のいずれかにかかる天井設置型の空気調和機において、ダストボックスに取り付けられ、フィルタに付着した塵埃をフィルタから掻き取るブラシをさらに備える。
【００２１】
この天井設置型の空気調和機では、昇降パネルと共にブラシが下降するので、メンテナンスが容易になる。
【００２２】
第８の発明にかかる天井設置型の空気調和機は、第１〜第７のいずれかの発明のいずれかにかかる天井設置型の空気調和機において、空調機器の運転を開始又は停止させるタイマ予約機能を有するコントローラをさらに備え、昇降パネルが下降又は上昇しているときに、空調機器の運転が開始する予約時刻になった場合、昇降パネルの下降又は上昇を終了させてから空調機器の運転を行う。
【００２３】
この天井設置型の空気調和機では、昇降パネルが下降又は上昇しているときに、タイマ予約により空調機器の運転が開始される場合でも、その空調機器の運転の開始が、昇降パネルの下降又は上昇が終了するまで遅延される。これにより、空調機器と昇降パネルとが同時に動作することがないので、電源容量の小さい環境下でも、当該空気調和機を利用することができる。
【発明の効果】
【００２４】
以上の説明に述べたように、本発明によれば、以下の効果が得られる。
【００２５】
第１の発明では、空調運転中に誤操作で昇降パネルを下降させる指令がなされても、当該指令を受け付けないので、そのまま空調機器の運転を継続することができる。その結果、当該指令を受け付けて空調機器の運転を中止する場合と異なり、空気調和された居住空間を再度適切な環境にするまでに時間を要するという不都合を解消することができる。
また、空調機器の運転が行われている間は、昇降パネルが本体の取付位置にあるので、本体内に組み込まれる当該空調機器やファン等の駆動部を当該昇降パネルで覆うことができる。これにより、安全性を確保することができる。
また、空調機器の運転と昇降パネルの昇降運転とを同時に行わないので、電源容量の小さい環境下でも、当該空気調和機を利用することができる。
【００２６】
また、第２の発明では、送風機と熱交換器とフィルタ清掃機構との少なくとも１つの運転が行われている間は、昇降パネルが本体の取付位置にあるので、本体内に組み込まれる当該送風機、熱交換器及びフィルタ清掃機構を当該昇降パネルで覆うことができる。これにより、安全性を確保することができる。
また、この天井設置型の空気調和機は、送風機と熱交換器とフィルタ清掃機構との少なくとも１つの運転と昇降パネルの昇降運転とを同時に行わないので、電源容量の小さい環境下でも、当該空気調和機を利用することができる。
【００２７】
また、第３の発明では、当該指令が受付けられなかったことを使用者に報知することができる。
【００２８】
また、第４の発明では、空調運転中にフラットパネルの下降を行わないので、吸込口を閉じる形状のフラットパネルを用いる場合でも、フラットパネルが本体側に吸い付く恐れがなく、フラットパネルのスムーズな下降を行うことができる。
【００２９】
また、第５の発明では、格子部分を介して空気を吸い込むことができるので、吸込口を開閉する機構を必要とするフラットパネル等に比べて、構成が簡単になる。
【００３０】
また、第６の発明では、昇降パネルと共にダストボックスが下降するので、メンテナンスが容易になる。
【００３１】
また、第７の発明では、昇降パネルと共にブラシが下降するので、メンテナンスが容易になる。
【００３２】
また、第８の発明では、昇降パネルが下降又は上昇しているときに、タイマ予約により空調機器の運転が開始される場合でも、その空調機器の運転の開始が、昇降パネルの下降又は上昇が終了するまで遅延される。これにより、空調機器と昇降パネルとが同時に動作することがないので、電源容量の小さい環境下でも、当該空気調和機を利用することができる。
【図面の簡単な説明】
【００３３】
【図１】本発明の第１実施形態に係る空調室内機の外観斜視図。
【図２】（ａ）空調室内機の運転停止時の側面図。（ｂ）空調室内機の運転時の側面図。（ｃ）メンテナンス時の側面図。
【図３】空調室内機の断面図。
【図４】下部本体の分解斜視図。
【図５】フィルタ清掃機構のフィルタ収納枠の分解斜視図。
【図６】フィルタ収納枠の内部の断面図。
【図７】（ａ）フィルタが前方収納部にあるときのフィルタ収納部の断面図。（ｂ）フィルタが後方収納部にあるときのフィルタ収納部の断面図。（ｃ）フィルタを取り出すときのフィルタ収納部の断面図。
【図８】フラットパネルの分解斜視図。
【図９】化粧パネルの斜視図。
【図１０】ヒンジ連結装置の分解斜視図。
【図１１】昇降装置の分解斜視図。
【図１２】昇降装置内部の部品の配置図。
【図１３】ロック装置の斜視図。
【図１４】フラットパネルが吸込口を開いた状態の斜視図。
【図１５】フラットパネルが下降している状態の斜視図。
【図１６】吹出口モジュールの拡大断面図。
【図１７】吹出口モジュールの斜視図。
【図１８】空調室内機の制御ブロック図。
【図１９】フラットパネルの昇降制御を示したフローチャート。
【図２０】本発明の第１実施形態の変形例に係る空調室内機の外観斜視図。
【図２１】本発明の第２実施形態に係る空気調和機のフラットパネルの昇降制御を示したフローチャート。
【図２２】本発明の第３実施形態に係る空気調和機のフラットパネルの昇降制御を示したフローチャート。
【図２３】本発明の第４実施形態に係る空気調和機のフラットパネルの昇降制御を示したフローチャート。
【図２４】本発明の第５実施形態に係る空気調和機において、タイマ予約設定時でのフラットパネル及び空調機器の動作制御を示したフローチャート。
【発明を実施するための形態】
【００３４】
以下、図面に基づいて、本発明に係る天井設置型の空気調和機（空調室内機）の実施形態について説明する。
【００３５】
（第１実施形態）
＜空調室内機２の構成＞
図１は本発明の第１実施形態に係る空調室内機の外観斜視図である。図１において、空調室内機２は、天井設置型の室内機であって、下面に吸込口２０ａ及び吹出口２０ｂを有する本体２０と、吸込口２０ａを開閉するフラットパネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００３６】
フラットパネル２４は、天井面のデザイン性を向上させるために略平面状となっており、吸込口２０ａを閉じたときに当該吸込口２０ａから空気が通過しにくい形状となっている。このフラットパネル２４は、本体２０に取り付けられる取付位置から使用者の手が届くメンテナンス位置まで昇降可能である。また、このフラットパネル２４は、上記した取付位置において一端を支点として回動可能であって、空調運転中には、取付位置において吸込口２０ａを開くと共に、空調運転停止時には、吸込口２０ａを閉じる。ここで、上記した「取付位置」とは、フラットパネル２４が本体２０に支持されている位置であって、具体的には、後述するヒンジ連結装置６（図１０参照）に連結している位置をいう。
【００３７】
図２（ａ）は、空調室内機の運転停止時の側面図であり、（ｂ）は、その空調室内機の運転時の側面図であり、（ｃ）は、メンテナンス時の側面図である。図２（ａ），（ｂ），（ｃ）において、空調室内機２が停止しているとき、フラットパネル２４は化粧パネル２１と見かけ上一体化している。図２（ｂ）において、空調運転が行われている間は、フラットパネル２４は吸込口２０ａを開き、第１風向調節羽根５２は吹出口２０ｂを開く。フラットパネル２４の一端は蝶番によって本体２０に支持されており、フラットパネル２４は回動して吸込口２０ａを開ける。
【００３８】
また、図２（ｃ）において、フラットパネル２４は、本体２０側から延びるワイヤ７１に吊られた状態で使用者の手が届くメンテナンス位置まで下降することができる。但し、フラットパネル２４は、一端が蝶番によって本体２０に支持されている状態ではメンテナンス位置まで下降することができないので、一旦、吸込口２０ａを閉じて、本体２０による支持が解除されたのちにメンテナンス位置まで下降する。
【００３９】
図３は、空調室内機の断面図である。図３において、空調室内機２は、フィルタ９、フィルタ清掃機構１０、室内熱交換器１２、室内ファン１３、ドレンパン１４及び吹出口モジュール５０をさらに備えている。空調運転時、吸込口２０ａ及び吹出口２０ｂが開き、室内ファン１３が回転し、空気が吸込口２０ａを介して吸い込まれると共にその吸込口２０ａから吸い込まれた空気が吹出口２０ｂから吹き出される。
【００４０】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００４１】
上部熱交換器１２ａの上端は本体２０の内側上部に位置し、上端から下端に向って傾斜する角度は、鉛直線に対して４５°以下に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００４２】
下部熱交換器１２ｂの上端は、上部熱交換器１２ａの下端に近接して配置されており、上端から下端に向って傾斜する角度は、鉛直線に対して４５°を超えている。このため、結露水が直接落下する可能性があるので、ドレンパン１４は、下部熱交換器１２ｂの下方全域に配置されている。
【００４３】
上部熱交換器１２ａは、下部熱交換器１２ｂよりも長い寸法に設定されており、下端コーナーが、下部熱交換器１２ｂの上端中央に近接している。このため、上部熱交換器１２ａを下部熱交換器１２ｂより長くした分量を相殺している。
【００４４】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。これ以後、吸込口２０ａから室内ファン１３までの空気流路を吸込流路３１ａと呼ぶ。
【００４５】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。これ以後、室内ファン１３から吹出口２０ｂまでの空気流路を吹出流路（第２吹出流路４１ａ、第１吹出流路５１ａ）と呼ぶ。室内ファン１３とドレンパン１４との間で且つ第２吹出流路４１ａ側には、舌部１５が設けられており、この舌部１５が吹出空気の漏れを防止して、性能を向上させている。そして、下部熱交換器１２ｂの下端部が、舌部１５の下方に位置するので、従来（例えば、特開平１０−２０５７９６参照）のような舌部と熱交換器との位置関係に比べてデッドスペースを有効利用することができる。なお、舌部１５は、室内ファン１３及びドレンパン１４とは独立した部材である。上記した吸込流路３１ａ及び第２吹出流路４１ａは、発泡スチロール３１及び４１によって形成される。
【００４６】
（本体２０）
空調室内機２は、フラットパネル２４の上方に、フィルタ清掃機構１０を備えているので、フィルタ清掃機構１０を備えていない標準空調室内機と比較して本体２０の高さ寸法が大きくなる。
【００４７】
図４は、下部本体の分解斜視図である。図４において、化粧パネル２１の上面には、ヒンジ連結装置６、昇降装置７、フィルタ清掃機構１０のフィルタ収納枠１０４、吹出口モジュール５０及び吹出口モジュールケース５０ａが装着されている。化粧パネル２１の下面には、フラットパネル２４が装着されている。この吹出口モジュール５０及びフィルタ清掃機構１０のフィルタ収納枠１０４は、化粧パネル２１の上面に長手方向に沿って配置される。また、吹出口モジュール５０及びフィルタ収納枠１０４は、化粧パネル２１の幅方向に並んで隣接している。そして、化粧パネル２１の両端近傍には、昇降装置７がフィルタ収納枠１０４を挟むように配置されている。
【００４８】
＜フィルタ掃除機構１０＞
図５は、フィルタ清掃機構のフィルタ収納枠の分解斜視図である。図５において、フィルタ収納枠１０４の両端には、フィルタ駆動モータ１０４ｆが取り付けられている。フィルタ駆動モータ１０４ｆは、歯車を介してローラー１０２を回転させ、フィルタ９を移動させる。また、フィルタ収納枠１０４内には、縁にラック１０１が形成されているフィルタ９、ピニオン歯車１０２ａを有するローラー１０２、及び、フィルタ９の浮き上がりを防止するフィルタ安定板１０３が設けられている。
【００４９】
（フィルタ９）
フィルタ９は、網部９ａと網部９ａの周囲を保持する縁部９ｂを有しており、図３に示すように室内熱交換器１２の前面側に配置され、室内から取り込まれた空気から塵埃を捕集する。これにより、フィルタ９は、空気中に浮遊する塵埃が室内熱交換器１２の表面を汚染することを防止している。フィルタ９の縁部９ｂには、ピニオン歯車１０２ａと噛み合うラック１０１が形成されている。
【００５０】
（ローラー１０２）
ローラー１０２は、複数のピニオン歯車１０２ａと、複数のピニオン歯車１０２ａを同軸上に連結する連結軸１０２ｂとを有している。ピニオン歯車１０２ａは、フィルタ９のラック１０１と噛み合い、回転することによってフィルタ９を水平に移動させる。
【００５１】
（フィルタ収納内枠１０４）
フィルタ収納枠１０４は、上枠１０４ａと下枠１０４ｂとを有しており、上枠１０４ａと下枠１０４ｂとが一定の間隔を隔てて上下に重なることによって、フィルタ収納部が形成される。また、上枠１０４ａには、モータ収納部１０４ｃが形成されており、ピニオン歯車１０２ａと噛み合う伝達歯車１０４ｄ、伝達歯車１０４ｄを駆動する駆動歯車１０４ｅ、及び駆動歯車１０４ｅを回転させるフィルタ駆動モータ１０４ｆが収納される。
【００５２】
ここで、フィルタ駆動モータ１０４ｆ及びブラシ駆動モータ１０８ｆのフィルタ収納枠１０４に対する位置関係、及び上記フィルタ収納部について図面を参照しながら詳細を説明する。図６は、フィルタ収納枠の内部の断面図である。なお、図６では、フィルタ駆動モータ１０４ｆ及びブラシ駆動モータ１０８ｆのフィルタ収納枠１０４に対する位置が明確になるように、フィルタ駆動モータ１０４ｆ及びブラシ駆動モータ１０８ｆを２点鎖線で表示している。フィルタ駆動モータ１０４ｆ及びブラシ駆動モータ１０８ｆは、フィルタ収納枠１０４の長手方向の両側、すなわち吸込口２０ａの長手方向の両側の上方に位置している。
【００５３】
図６において、フィルタ駆動モータ１０４ｆの回転軸に駆動歯車１０４ｅが連結され、この駆動歯車１０４ｅに伝達歯車１０４ｄが噛み合っている。この伝達歯車１０４ｄがローラー１０２のピニオン歯車１０２ａを回転させる。フィルタ収納部は、前方収納部１０５と後方収納部１０６とから成り、前方収納部１０５及び後方収納部１０６の長さは、フィルタ９の長手方向の長さに相当する。
【００５４】
図７（ａ）は、フィルタが前方収納部にあるときのフィルタ収納部の断面図であり、（ｂ）は、フィルタが後方収納部にあるときのフィルタ収納部の断面図であり、（ｃ）は、フィルタを取り出すときのフィルタ収納部の断面図である。図７（ａ），（ｂ），（ｃ）において、前方収納部１０５は、フィルタ９が後方収納部１０６へ移動するときの経路となる直線状の前方収納経路１０５ａを有し、後方収納部１０６は、前方収納部１０５から移動してくるフィルタ９を導く湾曲した後方収納経路１０６ａを有する。
【００５５】
図３に示すように、前方収納部１０５の終端部は、吸込流路３１ａを形成する壁から外側方向へ窪んだ凹部３２に嵌まり込んでおり、空調室内機２が稼動しているとき、フィルタ９の縁部９ｂが吸込流路３１ａに露出しないようになっている。また、後方収納部１０６は、吸込口２０ａと吹出口２０ｂとの間で、且つドレンパンの下方に位置している。
【００５６】
後方収納経路１０６ａには、第１湾曲領域１０６ｂと第２湾曲領域１０６ｃとがあり、第１湾曲領域１０６ｂは、ローラー１０２によって繰り出されたフィルタ９をピニオン歯車１０２ａの中心へ近づく方向に湾曲させる。第２湾曲領域１０６ｃは、第１湾曲領域１０６ｂと反対の方向へフィルタ９を湾曲させる。
【００５７】
また、フィルタ９は、フィルタ押え９１によって下方から支えられており、使用者が、フィルタ９をメンテナンスするためにフィルタ収納枠１０４から取り出すときは、フィルタ押え９１を下方へ回動させて、フィルタ９を引き出す。
【００５８】
（位置検知スイッチ１０７）
図７において、フィルタ９は、フィルタ収納枠１０４内を移動し所定の位置で停止する。フィルタ９の停止位置は、位置検知スイッチ１０７によって検知される。位置検知スイッチ１０７は、前方収納部１０５の終端近傍、及び後方収納部１０６の終端近傍に配置されている。位置検知スイッチ１０７の外側には、レバーが蝶番によって装着されており、外力が加わると回動して位置検知スイッチ１０７のボタンを押す。
【００５９】
（ブラシ１０８）
図６に示すように、ブラシ１０８の毛１０８ａは、フィルタ９を挟んでローラー１０２と反対側に位置しフィルタ９に接触している。つまり、フィルタ９の上側にローラー１０２があり、フィルタ９の下方にブラシ１０８がある。毛１０８ａの回転軸上には、最終伝達歯車１０８ｃが連結されており、ブラシ駆動モータ１０８ｆの回転軸には駆動歯車１０８ｅが連結されている。この駆動歯車１０８ｅと中間伝達歯車１０８ｄとが噛み合い、中間伝達歯車１０８ｄと最終伝達歯車１０８ｃとが噛み合っている。
【００６０】
また、ブラシ１０８は、直線状の前方収納経路１０５ａと湾曲した後方収納経路１０６ａとの間に位置するので、フィルタ９が前方収納経路１０５ａと後方収納経路１０６ａとの間を移動するときに、ブラシ１０８は、フィルタ９の網部９ａ全域に接触することができる。
【００６１】
なお、最終伝達歯車１０８ｃと中間伝達歯車１０８ｄとの噛み合いは、フラットパネル２４の開時および下降時には外れ、最終伝達歯車１０８ｃは、フラットパネル２４及びブラシ１０８と共に移動する。そして、フラットパネル２４が吸込口２０ａを閉じたとき、最終伝達歯車１０８ｃと中間伝達歯車１０８ｄとは再び噛み合う。
【００６２】
図８は、フラットパネルの分解斜視図であり、図８において、ブラシ１０８の毛１０８ａは、回転軸１０８ｂに固定されている。毛１０８ａは、プラスチック製の細い毛であるので、フィルタ９の網目に入り込んで塵埃を確実に掻き出すことができる。最終伝達歯車１０８ｃは、回転軸１０８ｂの両端に連結されている。
【００６３】
（ダストボックス１０９）
図８において、ダストボックス１０９は、上部の吹出口２０ｂ寄りに、塵埃取り込み口１０９ａを有しており、塵埃取り込み口１０９ａの長手方向の両端で、軸受１０９ｂを介して回転軸１０８ｂを支持する。さらに、塵埃取り込み口１０９ａには、ブラシ１０８がフィルタ９から掻き取った塵埃をブラシ１０８からふるい落とす櫛部１０９ｃが取り付けられている。このダストボックス１０９内に貯えられた塵埃を捨てるときは、ダストボックス１０９が空調室内機２のフラットパネル２４から取り外される。しかし、ダストボックス１０９は、使用者の手の届かないフラットパネル２４に取り付けられているので、使用者は、使用者の手が届くメンテナンス位置までフラットパネル２４を下降させてから、ダストボックス１０９をフラットパネル２４から取り外す。
【００６４】
図２（ｂ）に示すように、ダストボックス１０９はフラットパネル２４の回動軸側に寄って取り付けられており、ブラシ１０８が吸込口２０ａの端のさらに吹出口２０ｂ寄りに近づくので、フラットパネル２４が回動して吸込口２０ａを開けたとき、ブラシ１０８と共にフィルタ９から離れ、吸込空気の進路を妨害しない。また、ダストボックス１０９へ向って来る空気を滑らかにフィルタ９へ向わせるために、ダストボックス１０９の吸込空気と対向する面１０９ｄは傾斜し、空気抵抗を低減している。
【００６５】
ダストボックス１０９がフラットパネル２４に固定されたとき、フラットパネル２４はダストボックス１０９によって構造的に補強されるので、従来、補強用として使用されていた板金部材の使用率が減少する。
【００６６】
（フィルタの清掃動作）
空調室内機２では、自動的に或いは使用者が必要とするときにリモコン６０（図１８参照）によってフィルタ９が自動的に清掃される。以下、その仕組みについて説明する。
【００６７】
図７において、フィルタ９のラック１０１は、前方収納経路１０５ａに収まっており、ラック１０１の一端（以後、第１端部１０１ａとよぶ）はピニオン歯車１０２ａと噛み合っている。ローラー１０２が回転するとき、ピニオン歯車１０２ａからラック１０１に回転が伝達され、フィルタ９のラック１０１は、ローラー１０２によって後方収納経路１０６ａ側へ搬送される。ローラー１０２が回転し続けることによって、ラック１０１の第１端部１０１ａは後方収納経路１０６ａの終端に到達する。
【００６８】
ラック１０１の第１端部１０１ａが後方収納経路１０６ａの終端に到達したとき、第１端部１０１ａが位置検知スイッチ１０７のレバーを回動させる。後述する制御部７０（図１８参照）は、位置検知スイッチ１０７から出力される信号からラック１０１の第１端部１０１ａが後方収納経路１０６ａの終端に到達したと判断し、ローラー１０２の回転を停止させる。このとき、フィルタ９のラック１０１の全域が、後方収納経路１０６ａに収まっており、ラック１０１の他端（以後、第２端部１０１ｂとよぶ）はピニオン歯車１０２ａと噛み合っている。
【００６９】
図３及び図７において、フィルタ９が移動する際に、フィルタ９の表面に付着していた塵埃はブラシ１０８によって掻き取られ、ダストボックス１０９に貯えられる。ブラシ１０８は、少なくともフィルタ９が前方収納経路１０５ａから後方収納経路１０６ａへ移動している期間中は回転しており、その回転方向は、フィルタ９の進行方向に逆らう方向である。
【００７０】
フィルタ９が前方収納経路１０５ａから後方収納経路１０６ａへ移動し塵埃の除去が終了したとき、制御部７０は、ローラー１０２を逆回転させる。フィルタ９のラック１０１の第２端部１０１ｂは、ピニオン歯車１０２ａと噛み合っているので、ピニオン歯車１０２ａからラック１０１に回転が伝達され、フィルタ９は、ローラー１０２によって前方収納経路１０５ａ側へ搬送される。ローラー１０２が逆回転し続けることによって、ラック１０１の第２端部１０１ｂは前方収納経路１０５ａの終端に到達する。
【００７１】
ラック１０１の第２端部１０１ｂが前方収納経路１０５ａの終端に到達したとき、第２端部１０１ｂが位置検知スイッチ１０７のレバーを回動させる。制御部７０は、位置検知スイッチ１０７から出力される信号からラック１０１の第２端部１０１ｂが前方収納経路１０５ａの終端に到達したと判断し、ローラー１０２の回転を停止させる。このとき、フィルタ９のラック１０１は、前方収納経路１０５ａに収まっており、ラック１０１の第１端部１０１ａはピニオン歯車１０２ａと噛み合っている。
【００７２】
＜フラットパネル２４の動作に関連する装置＞
図９は、化粧パネルの斜視図である。図９に示すように、化粧パネル２１の天井側の面上には、昇降装置７以外に、ヒンジ連結装置６及びロック装置８が配置されている。以下、ヒンジ連結装置６、昇降装置７及びロック装置８の詳細構造について順に説明する。
【００７３】
（ヒンジ連結装置６）
ヒンジ連結装置６は、空調室内機２が稼動するとき、フラットパネル２４の一端を回動可能に支持し、フラットパネル２４をメンテナンス位置まで下降させるとき、フラットパネル２４の一端の支持を解除する。なお、
【００７４】
図１０は、ヒンジ連結装置の分解斜視図である。図１０において、ヒンジ連結装置６は、回動部材６１、滑り部材６２、第１ピン６３、ピニオン歯車６４、モータ６５、固定部
材６６、第２ピン６７及びネジ６８を有している。回動部材６１は、Ｕ字状の固体物であって、端面から外側に向ってと棒状の支持軸６１ａが突出している。さらに、回動部材６１の一端部には、軸孔６１ｂが形成されている。
【００７５】
滑り部材６２は、ピニオン歯車６４と噛み合うラック６２ａと、回動部材６１の軸孔６１ｂの両端を挟むアーム６２ｂとが形成されている。さらに、アーム６２ｂには、第１滑り孔６２ｃが形成され、ラック６２ａの根元近傍には、第２滑り孔６２ｄが形成されている。モータ６５は、ステッピングモータであり、ピニオン歯車６４を回転させる。モータ６５は、ネジ６８が通る貫通孔６５ａを有する。
【００７６】
固定部材６６には、滑り部材６２を滑り移動可能に保持する滑り空間６６ａと、ピニオン歯車６４が挿入される歯車空間６６ｂと、ネジ６８と螺合するネジ孔６６ｃとが形成されている。さらに、滑り空間６６ａを形成する壁には、第１貫通孔６６ｄと第２貫通孔６６ｅとが形成されている。
【００７７】
固定部材６６の滑り空間６６ａに滑り部材６２が配置され、その滑り部材６２のアーム６２ｂに回動部材６１の軸孔６１ｂが挟まれるように配置される。第１ピン６３は、固定部材６６の第１貫通孔６６ｄの一端から挿入され、滑り部材６２の第１滑り孔６２ｃ及び回動部材６１の軸孔６１ｂを通って第１貫通孔６６ｄの他端に出る。
【００７８】
第２ピン６７は、第２貫通孔６６ｅの一端から挿入され、滑り部材６２の第２滑り孔６２ｄを通って第２貫通孔６６ｅの他端に出る。その結果、滑り部材６２は、第１ピン６３及び第２ピン６７に沿って滑り空間を水平移動することができ、回動部材６１は、第１ピン６３を中心に回動することができる。
【００７９】
（ヒンジ連結装置６の動作）
図９、図１０において、モータ６５がピニオン歯車６４を回転させると、ピニオン歯車６４と噛み合うラック６２ａに動力が伝達されて滑り部材６２は第１ピン６３に沿って滑り移動し、滑り部材６２の移動に伴って回動部材６１がフラットパネル２４の方向、或はその反対の方向へ移動する。ここで説明の便宜上、回動部材６１をフラットパネル２４と連結する方向へ移動するようにモータ６５が回転することを正転と呼び、回動部材６１とフラットパネル２４との連結を解除する方向へ移動するようにモータ６５が回転することを逆転と呼ぶ。
【００８０】
フラットパネル２４の端部には、回動部材６１に支持軸６１ａと対峙する支持孔２４ｃ（図８参照）が設けられており、モータ６５が正転し、支持軸６１ａがフラットパネル２４の支持孔２４ｃに挿入されたときは、回動部材６１とフラットパネル２４との連結が成立し、フラットパネル２４は、第１ピン６３を中心に回動することができる。
【００８１】
一方、モータ６５が逆転し、支持軸６１ａがフラットパネル２４の支持孔２４ｃから抜け出たときは、回動部材６１とフラットパネル２４との連結が解消され、フラットパネル２４は、第１ピン６３を中心に回動することができない。
【００８２】
（昇降装置７）
図１１は、昇降装置の分解斜視図である。図１１において、昇降装置７は、ワイヤ７１、滑車７２、ボビン７３、巻取り歯車７４、駆動歯車７５、昇降モータ７６、スイッチ７７及びケース７８を有している。
【００８３】
滑車７２は、滑車部７２ａとカム部７２ｂとが一体に成形されており、滑車部７２ａは、ワイヤ７１を支え、ワイヤ７１の移動に伴って回転する。カム部７２ｂは、小径曲面と
大径曲面とそれら両曲面を結ぶ平面とから成る。
【００８４】
ボビン７３は、ワイヤ７１を巻取る。巻取り歯車７４は、ボビン７３と同軸で連結され一体的に回転する。駆動歯車７５は、巻取り歯車７４と噛み合いボビン７３を回転させる。
【００８５】
昇降モータ７６は、ステッピングモータであり駆動歯車７５を回転させる。昇降モータ７６の回転数は、制御部７０から供給されるパルス数によって制御される。
【００８６】
スイッチ７７は、レバー７７ａを有するマイクロスイッチであり、レバー７７ａが押されることによって、昇降モータ７６の運転を開始させる。レバー７７ａは、常に滑車７２のカム部７２ｂと接触しており、カム部７２ｂの大径曲面と対峙したときに押される。
【００８７】
ケース７８は、支持ケース７８ａとカバー７８ｂとに分割されている。支持ケース７８ａには、滑車７２を支持する第１軸７９ａ、ボビン７３と巻取り歯車７４とを支持する第２軸７９ｂ、スイッチ７７を支持する第３軸７９ｃが形成されている。カバー７８ｂは、支持ケース７８ａに支持された各部品を覆って保護する。
【００８８】
（昇降装置７の動作）
図１２は、昇降装置内部の部品の配置図である。図１２において、昇降装置７がワイヤ７１を繰り出す場合、昇降モータ７６は駆動歯車７５をＣＣＷ方向へ回転させ、巻取り歯車７４をＣＷ方向へ回転させる。これによって、ボビン７３がワイヤ７１を繰り出す方向に回転する。
【００８９】
一方、昇降装置７がワイヤ７１を巻き取る場合、昇降モータ７６は駆動歯車７５をＣＷ方向へ回転させ、巻取り歯車７４をＣＣＷ方向へ回転させる。これによって、ボビン７３がワイヤ７１を巻き取る方向に回転する。紐の繰り出し量および巻き取り量は、昇降モータ７６の回転量に比例しており、制御部７０が、昇降モータ７６へ供給するパルス数を制御することによって、ワイヤ７１の繰り出し量および巻き取り量が制御される。
【００９０】
ワイヤ７１の先端にはフラットパネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときに運転を開始させる信号を発し、レバー７７ａが小径曲面と対峙したときには運転を停止させる信号を発する。滑車７２が回転している間は、運転を開始させる信号と運転を停止させる信号が交互に発生し、これらの信号は、すべて制御部７０に入力される。
【００９１】
しかし、何らかの要因でワイヤ７１が弛み張力がなくなった場合、例えば、メンテナンスのためにワイヤ７１を繰り出してフラットパネル２４を下降させているときに、所定の繰り出し量に達する前に、フラットパネル２４がテーブルなどの上に着地して停止した場合には、ワイヤ７１と滑車部７２ａとの摩擦力が減退し滑車７２が停止する。このため、スイッチ７７からは、運転を開始させる信号又は運転を停止させる信号のいずれか一方が連続的に出力される。このとき、制御部７０では、昇降モータ７６が回転しているときにスイッチ７７からの信号が一定になっていることから、フラットパネル２４が何らかの障害物によって停止したと推定し、直ちに昇降モータ７６を停止させる。
【００９２】
（ロック装置８）
フラットパネル２４が吸込口２０ａを閉じているとき、フラットパネル２４を本体２０に支持しているのは、ヒンジ連結装置６と昇降装置７である。不測の要因で、ヒンジ連結装置６が誤動作しフラットパネル２４の支持を解除し、昇降装置７のワイヤ７１が緩んでしまったときでもフラットパネル２４が落下しないように、空調室内機２はロック装置８をさらに備えている。
【００９３】
図１３は、ロック装置の斜視図である。図１３において、ロック装置８は、可動体８１、第１保持部８２、第２保持部８３、モータ８４及びスプリング８５を有している。可動体８１は、四角柱形状を成し、その一端には傾斜面８１１が形成され、全長が最長である長側面８１２には所定の歯車と噛み合うラック８１ａが形成され、ラック８１ａの下方には中空部８１ｂが形成されている。可動体８１は、長側面８１２を鉛直上方に向け、第１保持部８２に移動可能な状態で保持されている。
【００９４】
第１保持部８２は、上面と一側面とが開放された直方体形状の筐体であり、底面に案内溝８２ａが形成されており、可動体８１がその案内溝８２ａに沿って水平移動する。案内溝８２ａの両端は壁８２１，８２２で挟まれており、一方の壁８２１には可動体８１が通る貫通口８２ｂが形成されている。案内溝８２ａの両端を挟む壁８２１，８２２には壁８２３が隣接しており、壁８２３には、案内溝８２ａと直交する方向に突出する板状突起８２ｃが形成されている。可動体８１は第１保持部８２に保持されているとき、傾斜面８１１は常に第１保持部８２の外側に位置し、ラック８１ａは常に第１保持部８２の内部に位置する。そして、第１保持部８２の板状突起８２ｃは、可動体８１の中空部８１ｂを貫通している。
【００９５】
壁８２３は、モータ８４を固定し、モータ８４の回転軸に連結されたピニオン歯車８４ａを回転可能に支持している。ピニオン歯車８４ａは、可動体８１のラック８１ａと噛み合い、ラック＆ピニオン機構を成している。可動体８１の中空部８１ｂには、スプリング８５が収納されている。スプリング８５は、圧縮コイルスプリングであって、中空部８１ｂの端部と板状突起８２ｃとで挟まれている。
【００９６】
第２保持部８３は、可動体８１が通る案内孔８３ａが形成された固体物であって、フラットパネル２４側に設置される。第２保持部８３の上面には滑らかな曲面８３１が形成されている。
【００９７】
（ロック装置８の動作）
図１３において、可動体８１は、第１保持体８２と第２保持体８３に保持された状態であり、その状態でモータ８４がピニオン歯車８４ａをＣＣＷ方向へ回転させたとき、ピニオン歯車８４ａの回転運動はラック８１ａによって直線運動に変換され、可動体８１が壁８２２に向って滑り移動する。可動体８１が所定距離移動したとき、可動体８１は第２保持部８３の案内孔８３ａから離れる。可動体８１を保持しない第２保持体８３は、上下方向の移動が許容されるので、フラットパネル２４の下降を妨げない。
【００９８】
可動体８１の移動によって、中空部８１ｂの側面と板状突起８２ｃとの距離が短くなるので、スプリング８５は圧縮され反発力を貯える。モータ８４は、電力が供給されている間、スプリング８５の増加する反発力に抗して回転するが、電力が供給されなくなったとき、スプリング８５の反発力によって逆回転し、可動体８１は元の位置へ復帰する。
【００９９】
フラットパネル２４が下降せず第２保持部８３が移動していないとき、可動体８１は第２保持部８３の案内孔８３ａに入る。一方、フラットパネル２４が下降して第２保持部８３が移動しているとき、第２保持部８３が復帰する軌道上で待機する。そして、フラットパネル２４が上昇して吸込口２０ａを閉じたとき、第２保持部８３は、曲面８３１を可動体８１の傾斜面８１１に当てて、可動体８１を押しのけて復帰する。
【０１００】
第２保持部８３に押された可動体８１は、水平移動しスプリング８５を圧縮する。第２保持部８３が完全に復帰したとき、可動体８１は、第２保持部８３の案内孔８３ａを貫通する。その結果、可動体８１がフラットパネル２４の下降を妨げることになる。
【０１０１】
（フラットパネルの開閉動作）
図１４は、フラットパネルが吸込口を開いた状態の斜視図である。図１４において、ヒンジ連結装置６がフラットパネル２４を連結した状態で、ロック装置８がロックを解除し、昇降装置７がワイヤ７１を繰り出したとき、フラットパネル２４は自重によって下降する。しかし、フラットパネル２４の端部はヒンジ連結装置６に連結されているので、フラットパネル２４は端部を軸として吸込口２０ａを開く方向へ回動する。
【０１０２】
一方、昇降装置７がワイヤ７１を巻き取るとき、フラットパネル２４は上昇するが、フラットパネル２４の端部がヒンジ連結装置６に連結されているので、フラットパネル２４は端部を軸として吸込口２０ａを閉じる方向へ回動する。フラットパネル２４が吸込口２０ａを完全に閉じたとき、ロック装置８がフラットパネル２４をロックする。
【０１０３】
（フラットパネルの昇降動作）
図１５は、フラットパネルが下降している状態の斜視図である。図１５において、ヒンジ連結装置６がフラットパネル２４の端部との連結を解除し、ロック装置８がフラットパネル２４のロックを解除し、昇降装置７がワイヤ７１を繰り出したとき、フラットパネル２４は自重によって下降する。一方、昇降装置７がワイヤ７１を巻き取るとき、フラットパネル２４は上昇し、フラットパネル２４が吸込口２０ａを完全に閉じたとき、ロック装置８がフラットパネル２４をロックする。
【０１０４】
フラットパネル２４は２本のワイヤに吊られて、ダストボックス１０９と共に下降するので、ダストボックス１０９を含めたフラットパネル２４の総重量は増加しており、室内の気流によって姿勢が不安定になることはない。但し、塵埃が、ダストボックス１０９内に偏って集積されているときは重心が変動する。このため、本実施形態では、ダストボックス１０９内に塵埃が満載されているときの姿勢と、ダストボックス１０９内が空のときの姿勢とがほぼ同姿勢となるように、フラットパネル２４上のダストボックス１０９の寸法と位置が設定されている。
【０１０５】
具体的には、ダストボックス１０９の長手方向の全長は、フラットパネル２４の長手方向の全長の１／２以上に設定されている。また、ダストボックス１０９の幅方向の全長は、フラットパネル２４の幅方向の全長の１／３以上に設定されている。そして、ダストボックス１０９は、フラットパネル２４が回動するときの回動軸に寄って配置されている。
【０１０６】
＜吹出口モジュール５０の構成部品＞
図１６は吹出口モジュールの拡大断面図であり、図１７は吹出口モジュールの斜視図である。図１６、図１７において、吹出口モジュール５０は、第１吹出流路形成壁部５１、第１風向調節羽根５２、第２風向調節羽根５３、長羽根支持部材５４、短冊状羽根支持部材５５及び断熱材５６がモジュール化されたものである。
【０１０７】
（第１吹出流路形成壁部５１）
第１吹出流路形成壁部５１は、空気流路の終端部に位置し吹出口２０ｂに繋がる第１吹出流路５１ａを形成している。第１吹出流路形成壁部５１は、第２吹出流路４１ａを形成する第２吹出流路形成壁部４１（図３参照）の終端と向かい合う部分に、樹脂性のシール部材貼付面５１１を有しており、そこにシール部材５９が貼り付けられる。シール部材貼付面５１１の幅寸法は、３ｍｍ以上に設定されている。
【０１０８】
第１吹出流路形成壁部５１は、シール部材貼付面５１１から吹出口２０ｂの方向へ延びる外壁５１２及び内壁５１３と、外壁５１２の終端から水平方向に延びるフランジ５１４をさらに有している。外壁５１２と内壁５１３とは所定距離だけ離れて、外壁５１２と内壁５１３との間に断熱空気層５１ｂを形成している。フランジ５１４は、吹出口２０ｂを挟んで吸込口２０ａと反対側に位置し、化粧パネル２１の補強板を兼ねている。
【０１０９】
（第１風向調節羽根５２）
第１風向調節羽根５２は、吹出口２０ｂの近傍に位置し、吹出口２０ｂの長手方向と平行に延びる２つの長羽根５２ａ，５２ｂを有している。長羽根５２ａ，５２ｂは、長羽根支持部材５４によって第１吹出流路形成壁部５１に連結されており、長羽根支持部材５４の支持部５４ａ，５４ｂが吹出口２０ｂの長手方向と並行な軸を中心として回動し、長羽根５２ａ，５２ｂの傾き角度を調節する。但し、空調室内機２が停止しているときは吹出口２０ｂを閉じる。
【０１１０】
（第２風向調節羽根５３）
第２風向調節羽根５３は、第１風向調節羽根５２の上流に位置し、複数の短冊状羽根５３ａと１本の駆動軸５３ｂとを有している。各短冊状羽根５３ａは、短冊状羽根支持部材５５によって第１吹出流路形成壁部５１に連結され、所定の間隔で吹出口２０ｂの長手方向に平行に並んでいる。また、複数の短冊状羽根５３ａは、駆動軸５３ｂによって繋がっており、駆動軸５３ｂが長手方向に往復運動することによって、吹出口２０ｂの長手方向と直行する軸を中心に遥動する。
【０１１１】
（第１風向調節羽根駆動部５７）
第１風向調節羽根駆動部５７は、第１吹出流路形成壁部５１の外側で第１風向調節羽根５２の延長線上に位置する。第１風向調節羽根駆動部５７は、内部にステッピングモータ（図示せず）と、そのステッピングモータの回転を長羽根支持部材５４に伝達する伝達歯車（図示せず）を有している。
【０１１２】
（第２風向調節羽根駆動部５８）
第２風向調節羽根駆動部５８は、第１吹出流路形成壁部５１の外側で第２風向調節羽根５３の駆動軸５３ｂの延長線上に位置する。第２風向調節羽根駆動部５８は、内部にステッピングモータ（図示せず）と、そのステッピングモータの回転を駆動軸５３ｂに伝達する伝達歯車（図示せず）を有している。
【０１１３】
＜制御部の構成＞
図１８は、空調室内機の制御ブロック図である。図１８に示すように、空調室内機２には、ＣＰＵ、メモリ及びモータドライブ回路等が搭載される制御部７０が設けられている。この制御部７０は、上記した室内ファン１３、フィルタ駆動モータ１０４ｆ、ブラシ駆動モータ１０８ｆ、ヒンジ連結装置６のモータ６５、昇降装置７の昇降モータ７６、ロック装置８のモータ８４、２つの位置検知スイッチ１０７、昇降装置７のスイッチ７７、リモコン６０、当該リモコン６０の操作に係る音声を出力するスピーカ９０等と有線又は無線により通信可能に構成される。リモコン６０は、使用者の操作によって、空調室内機２の空調指令（冷房指令、暖房指令、除湿指令、送風指令など）、フラットパネル２４の昇降指令、及び、フィルタ９の清掃指令等を入力するものであって、リモコン６０に入力された各種指令は、空調室内機２の受信部を介して、制御部７０へと送られる。そして、当該指令を受信した制御部７０は、当該指令に基づいて各構成に対して制御信号を出力することにより空調室内機２の運転を制御する。
【０１１４】
そして、本実施形態では、制御部７０は、空調運転が行われている間は、リモコン６０の操作によってフラットパネル２４を下降させる下降指令がなされても、当該指令を受け付けずに、空調運転を継続する。この際、制御部７０は、当該指令を受け付けなかったことを報知する報知音をスピーカ９０から出力させる。
【０１１５】
＜フラットパネルの昇降制御＞
図１９は、フラットパネルの昇降制御を示したフローチャートである。次に、図１９を参照して、フラットパネルの昇降制御について詳細に説明する。
【０１１６】
まず、制御部７０は、リモコン６０の操作によってフラットパネル２４の下降指令がなされたか否かを判断する（ステップＳ１）。そして、下降指令がなされた場合（ステップＳ１：Ｙｅｓ）、制御部７０は、空調運転が停止中か否かを判断する（ステップＳ２）。これに対して、下降指令がなされない場合（ステップＳ１：Ｎｏ）、下降指令がなされるまで当該ステップＳ１の判断を繰り返す。
【０１１７】
そして、空調運転が停止中の場合（ステップＳ２：Ｙｅｓ）、制御部７０は、下降指令を受け付けたことを示す報知音（例えば、「ピッ」）をスピーカ９０から出力させる（ステップＳ３）。その後、制御部７０は、昇降モータ７６を制御してフラットパネル２４の下降を開始する（ステップＳ４）。
【０１１８】
これに対して、空調運転中の場合（ステップＳ２：Ｎｏ）、制御部７０は、下降指令を受け付けなかったことを示す報知音（例えば、「ピッピッピッ」）をスピーカ９０から出力させる（ステップＳ５）。そして、上記した下降指令を無視して、再びステップＳ１の判断を繰り返す。
【０１１９】
［本実施形態の空調室内機（空気調和機）の特徴］
本実施形態の空調室内機２には、以下のような特徴がある。
【０１２０】
本実施形態の空調室内機２では、空調運転中に誤操作でフラットパネル２４を下降させる指令がなされても、当該指令を受け付けないので、そのまま空調運転を継続することができる。その結果、当該指令を受け付けて空調運転を中止する場合と異なり、空気調和された居住空間を再度適切な環境にするまでに時間を要するという不都合を解消することができる。
【０１２１】
また、本実施形態の空調室内機２では、空調運転が行われている間は、フラットパネル２４が本体の取付位置にあるので、本体内に組み込まれる室内ファン１３等の駆動部を当該フラットパネル２４で覆うことができる。これにより、安全性を確保することができる。
【０１２２】
また、本実施形態の空調室内機２は、空調運転とフラットパネル２４の昇降運転とを同時に行わないので、電源容量の小さい環境下（例えば、業務用電源より電源容量が小さい家庭用電源の環境下）でも、当該空調室内機２を利用することができる。
【０１２３】
また、本実施形態の空調室内機２では、当該指令が受付けられなかったことを使用者に報知することができる。
【０１２４】
また、フラットパネル２４を用いて、空調運転とフラットパネル２４の下降運転とを同時に行えば、室内ファン１３の運転による吸込口からの空気の吸引力により、フラットパネル２４が本体側に吸い付いてしまう恐れがある。しかし、この本実施形態の空調室内機２では、空調運転中にフラットパネル２４の下降を行わないので、吸込口２０ａを閉じる形状のフラットパネル２４を用いる場合でも、フラットパネル２４が本体２０側に吸い付く恐れがなく、フラットパネル２４のスムーズな下降を行うことができる。
【０１２５】
また、本実施形態の空調室内機２では、フラットパネル２４と共にダストボックス１０９及びブラシ１０８が下降するので、メンテナンスが容易になる。
【０１２６】
（第２実施形態）
次に、図２１を参照して、本発明の第２実施形態に係る空気調和機のフラットパネルの昇降制御について説明する。この第２実施形態では、暖房運転や冷房運転などの空調運転時にフラットパネルの下降指令を受け付けない第１実施形態と異なり、空調機器の一例としての室内ファンの運転時にフラットパネルの下降指令を受け付けない。フラットパネルの昇降制御以外は、第１実施形態の空気調和機と同様であるので、同一番号を付し、その説明を省略する。
【０１２７】
＜フラットパネルの昇降制御＞
まず、制御部７０は、リモコン６０の操作によってフラットパネル２４の下降指令がなされたか否かを判断する（ステップＳ１０１）。そして、下降指令がなされた場合（ステップＳ１０１：Ｙｅｓ）、制御部７０は、室内ファン１３が停止中か否かを判断する（ステップＳ１０２）。具体的には、制御部７０は、室内ファン１３を駆動するファンモータが駆動しているか否かを判断している。これに対して、下降指令がなされない場合（ステップＳ１０１：Ｎｏ）、下降指令がなされるまで当該ステップＳ１０１の判断を繰り返す。
【０１２８】
そして、室内ファン１３の運転が停止中の場合（ステップＳ１０２：Ｙｅｓ）、制御部７０は、下降指令を受け付けたことを示す報知音（例えば、「ピッ」）をスピーカ９０から出力させる（ステップＳ１０３）。その後、制御部７０は、昇降モータ７６を制御してフラットパネル２４の下降を開始する（ステップＳ４）。
【０１２９】
これに対して、室内ファン１３が運転中の場合（ステップＳ１０２：Ｎｏ）、制御部７０は、下降指令を受け付けなかったことを示す報知音（例えば、「ピッピッピッ」）をスピーカ９０から出力させる（ステップＳ１０５）。そして、上記した下降指令を無視して、再びステップＳ１０１の判断を繰り返す。
【０１３０】
上記したように、室内ファン１３の運転中にフラットパネル２４の下降指令を受け付けないように構成することによって、室内ファン１３の運転とフラットパネル２４の昇降運転とを同時に運転することがないので、電源容量の小さい環境下でも、第２実施形態に係る空気調和機を利用することができる。
また、室内ファン１３の運転が行われている間は、フラットパネル２４が本体の取付位置にあるので、本体内に組み込まれる室内ファン１３をフラットパネル２４で覆うことができる。これにより、安全性を確保することができる。
【０１３１】
（第３実施形態）
次に、図２２を参照して、本発明の第３実施形態に係る空気調和機のフラットパネルの昇降制御について説明する。この第３実施形態では、室内ファンの運転時にフラットパネルの下降指令を受け付けない第２実施形態と異なり、空調機器の一例としての室内熱交換器の運転時にフラットパネルの下降指令を受け付けない。フラットパネルの昇降制御以外は、第１実施形態の空気調和機と同様であるので、同一番号を付し、その説明を省略する。本実施形態の空気調和機では、空気調和機内部のカビの繁殖を抑えるために、冷房・除湿（ドライ）運転終了後に、室内熱交換器を加熱することで空気調和機内部の水分を蒸発させる運転を行うことができる。
【０１３２】
＜フラットパネルの昇降制御＞
この空気調和機では、制御部７０は、リモコン６０の操作によってフラットパネル２４の下降指令がなされたか否かを判断する（ステップＳ２０１）。そして、下降指令がなされた場合（ステップＳ２０１：Ｙｅｓ）、制御部７０は、室内熱交換器１２が停止中か否かを判断する（ステップＳ２０２）。これに対して、下降指令がなされない場合（ステップＳ２０１：Ｎｏ）、下降指令がなされるまで当該ステップＳ２０１の判断を繰り返す。
【０１３３】
そして、室内熱交換器１２の運転が停止中の場合（ステップＳ２０２：Ｙｅｓ）、制御部７０は、下降指令を受け付けたことを示す報知音（例えば、「ピッ」）をスピーカ９０から出力させる（ステップＳ２０３）。その後、制御部７０は、昇降モータ７６を制御してフラットパネル２４の下降を開始する（ステップＳ４）。
【０１３４】
これに対して、室内熱交換器１２が運転中の場合（ステップＳ２０２：Ｎｏ）、制御部７０は、下降指令を受け付けなかったことを示す報知音（例えば、「ピッピッピッ」）をスピーカ９０から出力させる（ステップＳ２０５）。そして、上記した下降指令を無視して、再びステップＳ２０１の判断を繰り返す。
【０１３５】
上記したように、室内熱交換器１２の運転中にフラットパネル２４の下降指令を受け付けないように構成することによって、室内熱交換器１２の運転とフラットパネル２４の昇降運転とを同時に運転することがないので、電源容量の小さい環境下でも、第３実施形態に係る空気調和機を利用することができる。
【０１３６】
（第４実施形態）
次に、図２３を参照して、本発明の第４実施形態に係る空気調和機のフラットパネルの昇降制御について説明する。この第４実施形態では、室内ファン及び室内熱交換器の運転時にフラットパネルの下降指令を受け付けない第２及び第３実施形態と異なり、空調機器の一例としてのフィルタ掃除機構の運転時にフラットパネルの下降指令を受け付けない。フラットパネルの昇降制御以外は、第１実施形態の空気調和機と同様であるので、同一番号を付し、その説明を省略する。
【０１３７】
＜フラットパネルの昇降制御＞
この空気調和機では、制御部７０は、リモコン６０の操作によってフラットパネル２４の下降指令がなされたか否かを判断する（ステップＳ３０１）。そして、下降指令がなされた場合（ステップＳ３０１：Ｙｅｓ）、制御部７０は、フィルタ清掃機構１０が停止中か否かを判断する（ステップＳ３０２）。具体的には、制御部７０は、フィルタ９を移動させるフィルタ駆動モータ１０４ｆが駆動しているか否かを判断している。これに対して、下降指令がなされない場合（ステップＳ３０１：Ｎｏ）、下降指令がなされるまで当該ステップＳ３０１の判断を繰り返す。
【０１３８】
そして、フィルタ清掃機構１０の運転が停止中の場合（ステップＳ３０２：Ｙｅｓ）、制御部７０は、下降指令を受け付けたことを示す報知音（例えば、「ピッ」）をスピーカ９０から出力させる（ステップＳ３０３）。その後、制御部７０は、昇降モータ７６を制御してフラットパネル２４の下降を開始する（ステップＳ４）。
【０１３９】
これに対して、フィルタ清掃機構１０が運転中の場合（ステップＳ３０２：Ｎｏ）、制御部７０は、下降指令を受け付けなかったことを示す報知音（例えば、「ピッピッピッ」）をスピーカ９０から出力させる（ステップＳ３０５）。そして、上記した下降指令を無視して、再びステップＳ３０１の判断を繰り返す。
【０１４０】
上記したように、フィルタ清掃機構１０の運転中にフラットパネル２４の下降指令を受け付けないように構成することによって、フィルタ清掃機構１０の運転とフラットパネル２４の昇降運転とを同時に運転することがないので、電源容量の小さい環境下でも、第４実施形態に係る空気調和機を利用することができる。
また、フィルタ清掃機構１０の運転が行われている間は、フラットパネル２４が本体の取付位置にあるので、本体内に組み込まれる当該フィルタ清掃機構１０の駆動部をフラットパネル２４で覆うことができる。これにより、安全性を確保することができる。
【０１４１】
（第５実施形態）
次に、図２４を参照して、本発明の第５実施形態に係る空気調和機において、タイマ予約設定時におけるフラットパネル及び空調機器の動作制御について説明する。この第５実施形態の空気調和機は、フラットパネル及び空調機器の動作制御以外は、第１実施形態の空気調和機と同様であるので、同一番号を付し、その説明を省略する。
【０１４２】
＜フラットパネルの昇降制御＞
本実施形態の空気調和機の制御部（コントローラ）７０は、冷房運転や暖房運転などの空調運転に関わる空調機器（室内ファン１３、室内熱交換器１２、フィルタ清掃ユニット１０）の運転を所定時刻に開始又は停止させるタイマ予約機能を有している。そして、本実施形態の空気調和機では、フラットパネル２４が下降又は昇降しているときに、空調機器の運転が開始する時刻（以下、予約時刻とする）になった場合、当該フラットパネル２４の下降又は昇降を終了させてから、空調機器の運転を行う。
【０１４３】
具体的には、制御部７０は、フラットパネル２４が昇降中か否かを判断し（ステップＳ４０１）、フラットパネル２４が昇降中でない場合には（ステップＳ４０１：Ｎｏ）、当該判断を繰り返す。一方、フラットパネル２４が昇降（下降又は上昇）中の場合には（ステップＳ４０１：Ｙｅｓ）、制御部７０は、タイマ予約がなされているか否かを判断する（ステップＳ４０２）。このタイマ予約は、ユーザによるリモコン６０の操作等によって設定されている。そして、タイマ予約がなされている場合には（ステップＳ４０２：Ｙｅｓ）、現在時刻とそのタイマ予約に係る予約時刻とを比較して、現在時刻が予約時刻になったか否かを判断する（ステップＳ４０３）。
【０１４４】
ここで、本実施形態では、フラットパネル２４の昇降中に（ステップＳ４０１：Ｙｅｓ）、現在時刻がタイマ予約に係る予約時刻になった場合でも（ステップＳ４０３：Ｙｅｓ）、空調機器の運転を開始せず、その運転開始を遅延させる（停止した状態にしておく）（ステップＳ４０４）。その後、フラットパネル２４の昇降が完了してフラットパネル２４の動作が停止したら（ステップＳ４０５：Ｙｅｓ）、空調機器の運転を開始する（ステップＳ４０６）。
【０１４５】
上記したように、フラットパネル２４が下降又は上昇しているときに、タイマ予約により空調機器の運転が開始される場合でも、その空調機器の運転の開始が昇降パネルの下降又は上昇が終了するまで遅延する。これにより、空調機器とフラットパネル２４とが同時に動作することがないので、電源容量の小さい環境下でも、第５実施形態に係る空気調和機を利用することができる。
【０１４６】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【０１４７】
例えば、上記実施形態では、昇降パネルの一例としてフラットパネル２４ついて説明したが、本発明の天井設置型の空気調和機はこれに限らず、図２０に示すように、昇降パネルが格子状の格子パネル１２４であってもよい。この場合、格子部分を介して空気を吸い込むことができるので、吸込口２０ａを開閉する機構（ヒンジ連結装置６等）が必要となるフラットパネル２４に比べて、構成が簡単になる。
【０１４８】
また、上記第２〜第４実施形態では、フラットパネルが取付位置にあるときに、空調機器としての室内ファン、室内熱交換器及びフィルタ清掃機構の少なくとも１つの運転が行われている間は、フラットパネルを下降させる指令を受け付けないように構成したが、本発明はこれに限らず、本体に収容される空調機器であれば、上記した室内ファン、室内熱交換器及びフィルタ清掃機構に限定されない。具体的には、空調機器としての第１風向調節羽根５２（第１風向調節羽根駆動部５７）及び第２風向調節羽根５３（第２風向調節羽根駆動部５８）の少なくとも１つの運転が行われている間は、フラットパネル２４を下降させる指令を受付けないように構成してもよい。このように構成すれば、第１風向調節羽根５２（第１風向調節羽根駆動部５７）及び第２風向調節羽根５３（第２風向調節羽根駆動部５８）の少なくとも１つと、フラットパネル２４とを同時に運転することがないので、電源容量の小さい環境下でも利用することができる。
【産業上の利用可能性】
【０１４９】
本発明を利用すれば、空調運転中に誤操作で昇降パネルを下降させる指令がなされても空調運転を継続することが可能な天井設置型の空気調和機を得ることができる。
【符号の説明】
【０１５０】
２  空調室内機（空気調和機）
７  昇降機構
９  フィルタ
１０  フィルタ清掃機構（空調機器）
１２  室内熱交換器（空調機器）
１３  室内ファン（送風機、空調機器）
２０  本体
２０ａ  吸込口
２４  フラットパネル（昇降パネル）
６０  リモコン（入力部）
７０  制御部（コントローラ）
９０  スピーカ（音声出力部）
１０８  ブラシ
１０９  ダストボックス
１２４  格子パネル（昇降パネル）
【図１】
2010043838.tif 000003
【図２】
2010043838.tif 000004
【図３】
2010043838.tif 000005
【図４】
2010043838.tif 000006
【図５】
2010043838.tif 000007
【図６】
2010043838.tif 000008
【図７】
2010043838.tif 000009
【図８】
2010043838.tif 000010
【図９】
2010043838.tif 000011
【図１０】
2010043838.tif 000012
【図１１】
2010043838.tif 000013
【図１２】
2010043838.tif 000014
【図１３】
2010043838.tif 000015
【図１４】
2010043838.tif 000016
【図１５】
2010043838.tif 000017
【図１６】
2010043838.tif 000018
【図１７】
2010043838.tif 000019
【図１８】
2010043838.tif 000020
【図１９】
2010043838.tif 000021
【図２０】
2010043838.tif 000022
【図２１】
2010043838.tif 000023
【図２２】
2010043838.tif 000024
【図２３】
2010043838.tif 000025
【図２４】
2010043838.tif 000026
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
吸込口を有し、内部に空調機器を搭載する本体と、
前記吸込口を覆う取付位置から移動可能な昇降パネルと、
前記昇降パネルを昇降させる昇降機構とを備え、
前記昇降パネルが前記取付位置にあるときに、前記空調機器の運転が行われている間は、前記昇降パネルを下降させる指令を受付けないことを特徴とする、天井設置型の空気調和機。
【請求項２】
前記空調機器は、送風機と、熱交換器と、前記吸込口から流入する空気に含まれる塵埃を捕集するフィルタに付着した塵埃を当該フィルタから離脱させるフィルタ清掃機構との少なくとも１つを含み、
前記昇降パネルが前記取付位置にあるときに、前記送風機と前記熱交換器と前記フィルタ清掃機構との少なくとも１つの運転が行われている間は、前記昇降パネルを下降させる指令を受付けないことを特徴とする、請求項１に記載の天井設置型の空気調和機。
【請求項３】
前記指令を入力するための入力部と、
前記入力部の操作に応じて当該操作に係る音声を出力する音声出力部とをさらに備え、
前記指令を受付けない状態で、前記指令に係る前記入力部の操作が行われたときに、前記音声出力部から当該指令を受付けなかったことを報知する報知音を出力することを特徴とする、請求項１又は２に記載の天井設置型の空気調和機。
【請求項４】
前記昇降パネルは、回動可能であって、空調運転中には前記吸込口を開くと共に空調運転停止時には前記吸込口を閉じるフラットパネルであることを特徴とする、請求項１〜３のいずれか１項に記載の天井設置型の空気調和機。
【請求項５】
前記昇降パネルは、格子状の格子パネルであることを特徴とする、請求項１〜３のいずれか１項に記載の天井設置型の空気調和機。
【請求項６】
前記吸込口から流入する空気に含まれる塵埃を捕集するフィルタと、
前記フィルタに付着した塵埃を回収するためのダストボックスとをさらに備え、
前記ダストボックスは、前記昇降パネルに載置され、前記昇降パネルと共に昇降することを特徴とする、請求項１〜５のいずれか１項に記載の天井設置型の空気調和機。
【請求項７】
前記ダストボックスに取り付けられ、前記フィルタに付着した塵埃を前記フィルタから掻き取るブラシをさらに備えることを特徴とする、請求項６に記載の天井設置型の空気調和機。
【請求項８】
前記空調機器の運転を開始又は停止させるタイマ予約機能を有するコントローラをさらに備え、
前記昇降パネルが下降又は上昇しているときに、前記空調機器の運転が開始する予約時刻になった場合、前記昇降パネルの下降又は上昇を終了させてから前記空調機器の運転を行うことを特徴とする、請求項１〜７のいずれか１項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、メンテナンス時等に使用者の手が届く位置まで移動可能な昇降パネルを備えた天井設置型の空気調和機に関する。
【背景技術】
【０００２】
天井設置型の空気調和機の分野では、フィルタの清掃等のメンテナンスのために、リモコンの操作により、使用者の手が届く位置まで吸込グリル（昇降パネル）を下降させるものが知られている（例えば、特許文献１参照）。
【０００３】
しかしながら、昇降パネルの下降時に、空調運転を継続すれば、昇降パネルで覆われていたファンやファンの駆動部等がむき出しになり、メンテナンス時に使用者が当該駆動部等に触れてしまう恐れがある。また、昇降パネルの運転と空調機器の運転とを同時に行おうとすると、一時的に大きな電源を使用することになり、電源容量の関係で同時に昇降パネルの運転と空調機器の運転とを出来ない場合がある。
【０００４】
そこで、空調運転時に昇降パネルの下降指令がなされた場合、空調運転を一旦停止した後、昇降パネルの下降を開始する天井設置型の空気調和機が開発されている。
【先行技術文献】
【特許文献】
【０００５】
【特許文献１】特開平１１−２４２３号公報
【発明の概要】
【発明が解決しようとする課題】
【０００６】
しかしながら、空調運転を一旦停止した後、昇降パネルの下降を開始する天井設置型の空気調和機では、空調運転時に使用者がリモコンの操作を誤って昇降パネルの下降指令を行った場合でも、空調運転を一旦停止してしまうので、せっかく空気調和された居住空間を再度適切な環境にするまでに時間を要してしまうという問題がある。
【０００７】
そこで、この発明は、上記のような課題を解決するためになされたものであり、空調運転中に誤操作で昇降パネルを下降させる指令がなされても空調運転を継続することが可能な天井設置型の空気調和機を提供することを目的とする。
【課題を解決するための手段】
【０００８】
第１の発明にかかる天井設置型の空気調和機は、吸込口を有し、内部に空調機器を搭載する本体と、前記吸込口を覆う取付位置から移動可能な昇降パネルと、昇降パネルを昇降させる昇降機構とを備え、昇降パネルが取付位置にあるときに、空調機器の運転が行われている間は、昇降パネルを下降させる指令を受付けない。
【０００９】
この天井設置型の空気調和機では、空調運転中に誤操作で昇降パネルを下降させる指令がなされても、当該指令を受け付けないので、そのまま空調機器の運転を継続することができる。その結果、当該指令を受け付けて空調機器の運転を中止する場合と異なり、空気調和された居住空間を再度適切な環境にするまでに時間を要するという不都合を解消することができる。
また、この天井設置型の空気調和機では、空調機器の運転が行われている間は、昇降パネルが本体の取付位置にあるので、本体内に組み込まれる当該空調機器やファン等の駆動部を当該昇降パネルで覆うことができる。これにより、安全性を確保することができる。
また、この天井設置型の空気調和機は、空調機器の運転と昇降パネルの昇降運転とを同時に行わないので、電源容量の小さい環境下でも、当該空気調和機を利用することができる。
【００１０】
また、第２の発明にかかる天井設置型の空気調和機は、第１の発明にかかる天井設置型の空気調和機において、空調機器は、送風機と、熱交換器と、吸込口から流入する空気に含まれる塵埃を捕集するフィルタに付着した塵埃を当該フィルタから離脱させるフィルタ清掃機構との少なくとも１つを含み、昇降パネルが取付位置にあるときに、送風機と熱交換器とフィルタ清掃機構との少なくとも１つの運転が行われている間は、昇降パネルを下降させる指令を受付けない。
【００１１】
この天井設置型の空気調和機では、送風機と熱交換器とフィルタ清掃機構との少なくとも１つの運転が行われている間は、昇降パネルが本体の取付位置にあるので、本体内に組み込まれる当該送風機、熱交換器及びフィルタ清掃機構を当該昇降パネルで覆うことができる。これにより、安全性を確保することができる。
また、この天井設置型の空気調和機は、送風機と熱交換器とフィルタ清掃機構との少なくとも１つの運転と昇降パネルの昇降運転とを同時に行わないので、電源容量の小さい環境下でも、当該空気調和機を利用することができる。
【００１２】
第３の発明にかかる天井設置型の空気調和機は、第１又は第２の発明にかかる天井設置型の空気調和機において、指令を入力するための入力部と、入力部の操作に応じて当該操作に係る音声を出力する音声出力部とをさらに備え、指令を受付けない状態で、指令に係る入力部の操作が行われたときに、音声出力部から当該指令を受付けなかったことを報知する報知音を出力する。
【００１３】
この天井設置型の空気調和機では、当該指令が受付けられなかったことを使用者に報知することができる。
【００１４】
第４の発明にかかる天井設置型の空気調和機は、第１〜第３のいずれかの発明にかかる天井設置型の空気調和機において、昇降パネルは、回動可能であって、空調運転中には吸込口を開くと共に空調運転停止時には吸込口を閉じるフラットパネルである。
【００１５】
上記したフラットパネルを用いて、空調運転とフラットパネルの下降運転とを同時に行えば、空調運転時における吸込口からの空気の吸い込みによりフラットパネルが本体側に吸い付いてしまう恐れがある。しかし、この天井設置型の空気調和機では、空調運転中にフラットパネルの下降を行わないので、吸込口を閉じる形状のフラットパネルを用いる場合でも、フラットパネルが本体側に吸い付く恐れがなく、フラットパネルのスムーズな下降を行うことができる。
【００１６】
第５の発明にかかる天井設置型の空気調和機は、第１〜第３のいずれかの発明のいずれかにかかる天井設置型の空気調和機において、昇降パネルは、格子状の格子パネルである。
【００１７】
この天井設置型の空気調和機では、格子部分を介して空気を吸い込むことができるので、吸込口を開閉する機構を必要とするフラットパネル等に比べて、構成が簡単になる。
【００１８】
第６の発明にかかる天井設置型の空気調和機は、第１〜第５の発明のいずれかにかかる天井設置型の空気調和機において、吸込口から流入する空気に含まれる塵埃を捕集するフィルタと、フィルタに付着した塵埃を回収するためのダストボックスとをさらに備え、ダストボックスは、昇降パネルに載置され、昇降パネルと共に昇降する。
【００１９】
この天井設置型の空気調和機では、昇降パネルと共にダストボックスが下降するので、メンテナンスが容易になる。
【００２０】
第７の発明にかかる天井設置型の空気調和機は、第６の発明のいずれかにかかる天井設置型の空気調和機において、ダストボックスに取り付けられ、フィルタに付着した塵埃をフィルタから掻き取るブラシをさらに備える。
【００２１】
この天井設置型の空気調和機では、昇降パネルと共にブラシが下降するので、メンテナンスが容易になる。
【００２２】
第８の発明にかかる天井設置型の空気調和機は、第１〜第７のいずれかの発明のいずれかにかかる天井設置型の空気調和機において、空調機器の運転を開始又は停止させるタイマ予約機能を有するコントローラをさらに備え、昇降パネルが下降又は上昇しているときに、空調機器の運転が開始する予約時刻になった場合、昇降パネルの下降又は上昇を終了させてから空調機器の運転を行う。
【００２３】
この天井設置型の空気調和機では、昇降パネルが下降又は上昇しているときに、タイマ予約により空調機器の運転が開始される場合でも、その空調機器の運転の開始が、昇降パネルの下降又は上昇が終了するまで遅延される。これにより、空調機器と昇降パネルとが同時に動作することがないので、電源容量の小さい環境下でも、当該空気調和機を利用することができる。
【発明の効果】
【００２４】
以上の説明に述べたように、本発明によれば、以下の効果が得られる。
【００２５】
第１の発明では、空調運転中に誤操作で昇降パネルを下降させる指令がなされても、当該指令を受け付けないので、そのまま空調機器の運転を継続することができる。その結果、当該指令を受け付けて空調機器の運転を中止する場合と異なり、空気調和された居住空間を再度適切な環境にするまでに時間を要するという不都合を解消することができる。
また、空調機器の運転が行われている間は、昇降パネルが本体の取付位置にあるので、本体内に組み込まれる当該空調機器やファン等の駆動部を当該昇降パネルで覆うことができる。これにより、安全性を確保することができる。
また、空調機器の運転と昇降パネルの昇降運転とを同時に行わないので、電源容量の小さい環境下でも、当該空気調和機を利用することができる。
【００２６】
また、第２の発明では、送風機と熱交換器とフィルタ清掃機構との少なくとも１つの運転が行われている間は、昇降パネルが本体の取付位置にあるので、本体内に組み込まれる当該送風機、熱交換器及びフィルタ清掃機構を当該昇降パネルで覆うことができる。これにより、安全性を確保することができる。
また、この天井設置型の空気調和機は、送風機と熱交換器とフィルタ清掃機構との少なくとも１つの運転と昇降パネルの昇降運転とを同時に行わないので、電源容量の小さい環境下でも、当該空気調和機を利用することができる。
【００２７】
また、第３の発明では、当該指令が受付けられなかったことを使用者に報知することができる。
【００２８】
また、第４の発明では、空調運転中にフラットパネルの下降を行わないので、吸込口を閉じる形状のフラットパネルを用いる場合でも、フラットパネルが本体側に吸い付く恐れがなく、フラットパネルのスムーズな下降を行うことができる。
【００２９】
また、第５の発明では、格子部分を介して空気を吸い込むことができるので、吸込口を開閉する機構を必要とするフラットパネル等に比べて、構成が簡単になる。
【００３０】
また、第６の発明では、昇降パネルと共にダストボックスが下降するので、メンテナンスが容易になる。
【００３１】
また、第７の発明では、昇降パネルと共にブラシが下降するので、メンテナンスが容易になる。
【００３２】
また、第８の発明では、昇降パネルが下降又は上昇しているときに、タイマ予約により空調機器の運転が開始される場合でも、その空調機器の運転の開始が、昇降パネルの下降又は上昇が終了するまで遅延される。これにより、空調機器と昇降パネルとが同時に動作することがないので、電源容量の小さい環境下でも、当該空気調和機を利用することができる。
【図面の簡単な説明】
【００３３】
【図１】本発明の第１実施形態に係る空調室内機の外観斜視図。
【図２】（ａ）空調室内機の運転停止時の側面図。（ｂ）空調室内機の運転時の側面図。（ｃ）メンテナンス時の側面図。
【図３】空調室内機の断面図。
【図４】下部本体の分解斜視図。
【図５】フィルタ清掃機構のフィルタ収納枠の分解斜視図。
【図６】フィルタ収納枠の内部の断面図。
【図７】（ａ）フィルタが前方収納部にあるときのフィルタ収納部の断面図。（ｂ）フィルタが後方収納部にあるときのフィルタ収納部の断面図。（ｃ）フィルタを取り出すときのフィルタ収納部の断面図。
【図８】フラットパネルの分解斜視図。
【図９】化粧パネルの斜視図。
【図１０】ヒンジ連結装置の分解斜視図。
【図１１】昇降装置の分解斜視図。
【図１２】昇降装置内部の部品の配置図。
【図１３】ロック装置の斜視図。
【図１４】フラットパネルが吸込口を開いた状態の斜視図。
【図１５】フラットパネルが下降している状態の斜視図。
【図１６】吹出口モジュールの拡大断面図。
【図１７】吹出口モジュールの斜視図。
【図１８】空調室内機の制御ブロック図。
【図１９】フラットパネルの昇降制御を示したフローチャート。
【図２０】本発明の第１実施形態の変形例に係る空調室内機の外観斜視図。
【図２１】本発明の第２実施形態に係る空気調和機のフラットパネルの昇降制御を示したフローチャート。
【図２２】本発明の第３実施形態に係る空気調和機のフラットパネルの昇降制御を示したフローチャート。
【図２３】本発明の第４実施形態に係る空気調和機のフラットパネルの昇降制御を示したフローチャート。
【図２４】本発明の第５実施形態に係る空気調和機において、タイマ予約設定時でのフラットパネル及び空調機器の動作制御を示したフローチャート。
【発明を実施するための形態】
【００３４】
以下、図面に基づいて、本発明に係る天井設置型の空気調和機（空調室内機）の実施形態について説明する。
【００３５】
（第１実施形態）
＜空調室内機２の構成＞
図１は本発明の第１実施形態に係る空調室内機の外観斜視図である。図１において、空調室内機２は、天井設置型の室内機であって、下面に吸込口２０ａ及び吹出口２０ｂを有する本体２０と、吸込口２０ａを開閉するフラットパネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００３６】
フラットパネル２４は、天井面のデザイン性を向上させるために略平面状となっており、吸込口２０ａを閉じたときに当該吸込口２０ａから空気が通過しにくい形状となっている。このフラットパネル２４は、本体２０に取り付けられる取付位置から使用者の手が届くメンテナンス位置まで昇降可能である。また、このフラットパネル２４は、上記した取付位置において一端を支点として回動可能であって、空調運転中には、取付位置において吸込口２０ａを開くと共に、空調運転停止時には、吸込口２０ａを閉じる。ここで、上記した「取付位置」とは、フラットパネル２４が本体２０に支持されている位置であって、具体的には、後述するヒンジ連結装置６（図１０参照）に連結している位置をいう。
【００３７】
図２（ａ）は、空調室内機の運転停止時の側面図であり、（ｂ）は、その空調室内機の運転時の側面図であり、（ｃ）は、メンテナンス時の側面図である。図２（ａ），（ｂ），（ｃ）において、空調室内機２が停止しているとき、フラットパネル２４は化粧パネル２１と見かけ上一体化している。図２（ｂ）において、空調運転が行われている間は、フラットパネル２４は吸込口２０ａを開き、第１風向調節羽根５２は吹出口２０ｂを開く。フラットパネル２４の一端は蝶番によって本体２０に支持されており、フラットパネル２４は回動して吸込口２０ａを開ける。
【００３８】
また、図２（ｃ）において、フラットパネル２４は、本体２０側から延びるワイヤ７１に吊られた状態で使用者の手が届くメンテナンス位置まで下降することができる。但し、フラットパネル２４は、一端が蝶番によって本体２０に支持されている状態ではメンテナンス位置まで下降することができないので、一旦、吸込口２０ａを閉じて、本体２０による支持が解除されたのちにメンテナンス位置まで下降する。
【００３９】
図３は、空調室内機の断面図である。図３において、空調室内機２は、フィルタ９、フィルタ清掃機構１０、室内熱交換器１２、室内ファン１３、ドレンパン１４及び吹出口モジュール５０をさらに備えている。空調運転時、吸込口２０ａ及び吹出口２０ｂが開き、室内ファン１３が回転し、空気が吸込口２０ａを介して吸い込まれると共にその吸込口２０ａから吸い込まれた空気が吹出口２０ｂから吹き出される。
【００４０】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００４１】
上部熱交換器１２ａの上端は本体２０の内側上部に位置し、上端から下端に向って傾斜する角度は、鉛直線に対して４５°以下に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００４２】
下部熱交換器１２ｂの上端は、上部熱交換器１２ａの下端に近接して配置されており、上端から下端に向って傾斜する角度は、鉛直線に対して４５°を超えている。このため、結露水が直接落下する可能性があるので、ドレンパン１４は、下部熱交換器１２ｂの下方全域に配置されている。
【００４３】
上部熱交換器１２ａは、下部熱交換器１２ｂよりも長い寸法に設定されており、下端コーナーが、下部熱交換器１２ｂの上端中央に近接している。このため、上部熱交換器１２ａを下部熱交換器１２ｂより長くした分量を相殺している。
【００４４】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。これ以後、吸込口２０ａから室内ファン１３までの空気流路を吸込流路３１ａと呼ぶ。
【００４５】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。これ以後、室内ファン１３から吹出口２０ｂまでの空気流路を吹出流路（第２吹出流路４１ａ、第１吹出流路５１ａ）と呼ぶ。室内ファン１３とドレンパン１４との間で且つ第２吹出流路４１ａ側には、舌部１５が設けられており、この舌部１５が吹出空気の漏れを防止して、性能を向上させている。そして、下部熱交換器１２ｂの下端部が、舌部１５の下方に位置するので、従来（例えば、特開平１０−２０５７９６参照）のような舌部と熱交換器との位置関係に比べてデッドスペースを有効利用することができる。なお、舌部１５は、室内ファン１３及びドレンパン１４とは独立した部材である。上記した吸込流路３１ａ及び第２吹出流路４１ａは、発泡スチロール３１及び４１によって形成される。
【００４６】
（本体２０）
空調室内機２は、フラットパネル２４の上方に、フィルタ清掃機構１０を備えているので、フィルタ清掃機構１０を備えていない標準空調室内機と比較して本体２０の高さ寸法が大きくなる。
【００４７】
図４は、下部本体の分解斜視図である。図４において、化粧パネル２１の上面には、ヒンジ連結装置６、昇降装置７、フィルタ清掃機構１０のフィルタ収納枠１０４、吹出口モジュール５０及び吹出口モジュールケース５０ａが装着されている。化粧パネル２１の下面には、フラットパネル２４が装着されている。この吹出口モジュール５０及びフィルタ清掃機構１０のフィルタ収納枠１０４は、化粧パネル２１の上面に長手方向に沿って配置される。また、吹出口モジュール５０及びフィルタ収納枠１０４は、化粧パネル２１の幅方向に並んで隣接している。そして、化粧パネル２１の両端近傍には、昇降装置７がフィルタ収納枠１０４を挟むように配置されている。
【００４８】
＜フィルタ掃除機構１０＞
図５は、フィルタ清掃機構のフィルタ収納枠の分解斜視図である。図５において、フィルタ収納枠１０４の両端には、フィルタ駆動モータ１０４ｆが取り付けられている。フィルタ駆動モータ１０４ｆは、歯車を介してローラー１０２を回転させ、フィルタ９を移動させる。また、フィルタ収納枠１０４内には、縁にラック１０１が形成されているフィルタ９、ピニオン歯車１０２ａを有するローラー１０２、及び、フィルタ９の浮き上がりを防止するフィルタ安定板１０３が設けられている。
【００４９】
（フィルタ９）
フィルタ９は、網部９ａと網部９ａの周囲を保持する縁部９ｂを有しており、図３に示すように室内熱交換器１２の前面側に配置され、室内から取り込まれた空気から塵埃を捕集する。これにより、フィルタ９は、空気中に浮遊する塵埃が室内熱交換器１２の表面を汚染することを防止している。フィルタ９の縁部９ｂには、ピニオン歯車１０２ａと噛み合うラック１０１が形成されている。
【００５０】
（ローラー１０２）
ローラー１０２は、複数のピニオン歯車１０２ａと、複数のピニオン歯車１０２ａを同軸上に連結する連結軸１０２ｂとを有している。ピニオン歯車１０２ａは、フィルタ９のラック１０１と噛み合い、回転することによってフィルタ９を水平に移動させる。
【００５１】
（フィルタ収納内枠１０４）
フィルタ収納枠１０４は、上枠１０４ａと下枠１０４ｂとを有しており、上枠１０４ａと下枠１０４ｂとが一定の間隔を隔てて上下に重なることによって、フィルタ収納部が形成される。また、上枠１０４ａには、モータ収納部１０４ｃが形成されており、ピニオン歯車１０２ａと噛み合う伝達歯車１０４ｄ、伝達歯車１０４ｄを駆動する駆動歯車１０４ｅ、及び駆動歯車１０４ｅを回転させるフィルタ駆動モータ１０４ｆが収納される。
【００５２】
ここで、フィルタ駆動モータ１０４ｆ及びブラシ駆動モータ１０８ｆのフィルタ収納枠１０４に対する位置関係、及び上記フィルタ収納部について図面を参照しながら詳細を説明する。図６は、フィルタ収納枠の内部の断面図である。なお、図６では、フィルタ駆動モータ１０４ｆ及びブラシ駆動モータ１０８ｆのフィルタ収納枠１０４に対する位置が明確になるように、フィルタ駆動モータ１０４ｆ及びブラシ駆動モータ１０８ｆを２点鎖線で表示している。フィルタ駆動モータ１０４ｆ及びブラシ駆動モータ１０８ｆは、フィルタ収納枠１０４の長手方向の両側、すなわち吸込口２０ａの長手方向の両側の上方に位置している。
【００５３】
図６において、フィルタ駆動モータ１０４ｆの回転軸に駆動歯車１０４ｅが連結され、この駆動歯車１０４ｅに伝達歯車１０４ｄが噛み合っている。この伝達歯車１０４ｄがローラー１０２のピニオン歯車１０２ａを回転させる。フィルタ収納部は、前方収納部１０５と後方収納部１０６とから成り、前方収納部１０５及び後方収納部１０６の長さは、フィルタ９の長手方向の長さに相当する。
【００５４】
図７（ａ）は、フィルタが前方収納部にあるときのフィルタ収納部の断面図であり、（ｂ）は、フィルタが後方収納部にあるときのフィルタ収納部の断面図であり、（ｃ）は、フィルタを取り出すときのフィルタ収納部の断面図である。図７（ａ），（ｂ），（ｃ）において、前方収納部１０５は、フィルタ９が後方収納部１０６へ移動するときの経路となる直線状の前方収納経路１０５ａを有し、後方収納部１０６は、前方収納部１０５から移動してくるフィルタ９を導く湾曲した後方収納経路１０６ａを有する。
【００５５】
図３に示すように、前方収納部１０５の終端部は、吸込流路３１ａを形成する壁から外側方向へ窪んだ凹部３２に嵌まり込んでおり、空調室内機２が稼動しているとき、フィルタ９の縁部９ｂが吸込流路３１ａに露出しないようになっている。また、後方収納部１０６は、吸込口２０ａと吹出口２０ｂとの間で、且つドレンパンの下方に位置している。
【００５６】
後方収納経路１０６ａには、第１湾曲領域１０６ｂと第２湾曲領域１０６ｃとがあり、第１湾曲領域１０６ｂは、ローラー１０２によって繰り出されたフィルタ９をピニオン歯車１０２ａの中心へ近づく方向に湾曲させる。第２湾曲領域１０６ｃは、第１湾曲領域１０６ｂと反対の方向へフィルタ９を湾曲させる。
【００５７】
また、フィルタ９は、フィルタ押え９１によって下方から支えられており、使用者が、フィルタ９をメンテナンスするためにフィルタ収納枠１０４から取り出すときは、フィルタ押え９１を下方へ回動させて、フィルタ９を引き出す。
【００５８】
（位置検知スイッチ１０７）
図７において、フィルタ９は、フィルタ収納枠１０４内を移動し所定の位置で停止する。フィルタ９の停止位置は、位置検知スイッチ１０７によって検知される。位置検知スイッチ１０７は、前方収納部１０５の終端近傍、及び後方収納部１０６の終端近傍に配置されている。位置検知スイッチ１０７の外側には、レバーが蝶番によって装着されており、外力が加わると回動して位置検知スイッチ１０７のボタンを押す。
【００５９】
（ブラシ１０８）
図６に示すように、ブラシ１０８の毛１０８ａは、フィルタ９を挟んでローラー１０２と反対側に位置しフィルタ９に接触している。つまり、フィルタ９の上側にローラー１０２があり、フィルタ９の下方にブラシ１０８がある。毛１０８ａの回転軸上には、最終伝達歯車１０８ｃが連結されており、ブラシ駆動モータ１０８ｆの回転軸には駆動歯車１０８ｅが連結されている。この駆動歯車１０８ｅと中間伝達歯車１０８ｄとが噛み合い、中間伝達歯車１０８ｄと最終伝達歯車１０８ｃとが噛み合っている。
【００６０】
また、ブラシ１０８は、直線状の前方収納経路１０５ａと湾曲した後方収納経路１０６ａとの間に位置するので、フィルタ９が前方収納経路１０５ａと後方収納経路１０６ａとの間を移動するときに、ブラシ１０８は、フィルタ９の網部９ａ全域に接触することができる。
【００６１】
なお、最終伝達歯車１０８ｃと中間伝達歯車１０８ｄとの噛み合いは、フラットパネル２４の開時および下降時には外れ、最終伝達歯車１０８ｃは、フラットパネル２４及びブラシ１０８と共に移動する。そして、フラットパネル２４が吸込口２０ａを閉じたとき、最終伝達歯車１０８ｃと中間伝達歯車１０８ｄとは再び噛み合う。
【００６２】
図８は、フラットパネルの分解斜視図であり、図８において、ブラシ１０８の毛１０８ａは、回転軸１０８ｂに固定されている。毛１０８ａは、プラスチック製の細い毛であるので、フィルタ９の網目に入り込んで塵埃を確実に掻き出すことができる。最終伝達歯車１０８ｃは、回転軸１０８ｂの両端に連結されている。
【００６３】
（ダストボックス１０９）
図８において、ダストボックス１０９は、上部の吹出口２０ｂ寄りに、塵埃取り込み口１０９ａを有しており、塵埃取り込み口１０９ａの長手方向の両端で、軸受１０９ｂを介して回転軸１０８ｂを支持する。さらに、塵埃取り込み口１０９ａには、ブラシ１０８がフィルタ９から掻き取った塵埃をブラシ１０８からふるい落とす櫛部１０９ｃが取り付けられている。このダストボックス１０９内に貯えられた塵埃を捨てるときは、ダストボックス１０９が空調室内機２のフラットパネル２４から取り外される。しかし、ダストボックス１０９は、使用者の手の届かないフラットパネル２４に取り付けられているので、使用者は、使用者の手が届くメンテナンス位置までフラットパネル２４を下降させてから、ダストボックス１０９をフラットパネル２４から取り外す。
【００６４】
図２（ｂ）に示すように、ダストボックス１０９はフラットパネル２４の回動軸側に寄って取り付けられており、ブラシ１０８が吸込口２０ａの端のさらに吹出口２０ｂ寄りに近づくので、フラットパネル２４が回動して吸込口２０ａを開けたとき、ブラシ１０８と共にフィルタ９から離れ、吸込空気の進路を妨害しない。また、ダストボックス１０９へ向って来る空気を滑らかにフィルタ９へ向わせるために、ダストボックス１０９の吸込空気と対向する面１０９ｄは傾斜し、空気抵抗を低減している。
【００６５】
ダストボックス１０９がフラットパネル２４に固定されたとき、フラットパネル２４はダストボックス１０９によって構造的に補強されるので、従来、補強用として使用されていた板金部材の使用率が減少する。
【００６６】
（フィルタの清掃動作）
空調室内機２では、自動的に或いは使用者が必要とするときにリモコン６０（図１８参照）によってフィルタ９が自動的に清掃される。以下、その仕組みについて説明する。
【００６７】
図７において、フィルタ９のラック１０１は、前方収納経路１０５ａに収まっており、ラック１０１の一端（以後、第１端部１０１ａとよぶ）はピニオン歯車１０２ａと噛み合っている。ローラー１０２が回転するとき、ピニオン歯車１０２ａからラック１０１に回転が伝達され、フィルタ９のラック１０１は、ローラー１０２によって後方収納経路１０６ａ側へ搬送される。ローラー１０２が回転し続けることによって、ラック１０１の第１端部１０１ａは後方収納経路１０６ａの終端に到達する。
【００６８】
ラック１０１の第１端部１０１ａが後方収納経路１０６ａの終端に到達したとき、第１端部１０１ａが位置検知スイッチ１０７のレバーを回動させる。後述する制御部７０（図１８参照）は、位置検知スイッチ１０７から出力される信号からラック１０１の第１端部１０１ａが後方収納経路１０６ａの終端に到達したと判断し、ローラー１０２の回転を停止させる。このとき、フィルタ９のラック１０１の全域が、後方収納経路１０６ａに収まっており、ラック１０１の他端（以後、第２端部１０１ｂとよぶ）はピニオン歯車１０２ａと噛み合っている。
【００６９】
図３及び図７において、フィルタ９が移動する際に、フィルタ９の表面に付着していた塵埃はブラシ１０８によって掻き取られ、ダストボックス１０９に貯えられる。ブラシ１０８は、少なくともフィルタ９が前方収納経路１０５ａから後方収納経路１０６ａへ移動している期間中は回転しており、その回転方向は、フィルタ９の進行方向に逆らう方向である。
【００７０】
フィルタ９が前方収納経路１０５ａから後方収納経路１０６ａへ移動し塵埃の除去が終了したとき、制御部７０は、ローラー１０２を逆回転させる。フィルタ９のラック１０１の第２端部１０１ｂは、ピニオン歯車１０２ａと噛み合っているので、ピニオン歯車１０２ａからラック１０１に回転が伝達され、フィルタ９は、ローラー１０２によって前方収納経路１０５ａ側へ搬送される。ローラー１０２が逆回転し続けることによって、ラック１０１の第２端部１０１ｂは前方収納経路１０５ａの終端に到達する。
【００７１】
ラック１０１の第２端部１０１ｂが前方収納経路１０５ａの終端に到達したとき、第２端部１０１ｂが位置検知スイッチ１０７のレバーを回動させる。制御部７０は、位置検知スイッチ１０７から出力される信号からラック１０１の第２端部１０１ｂが前方収納経路１０５ａの終端に到達したと判断し、ローラー１０２の回転を停止させる。このとき、フィルタ９のラック１０１は、前方収納経路１０５ａに収まっており、ラック１０１の第１端部１０１ａはピニオン歯車１０２ａと噛み合っている。
【００７２】
＜フラットパネル２４の動作に関連する装置＞
図９は、化粧パネルの斜視図である。図９に示すように、化粧パネル２１の天井側の面上には、昇降装置７以外に、ヒンジ連結装置６及びロック装置８が配置されている。以下、ヒンジ連結装置６、昇降装置７及びロック装置８の詳細構造について順に説明する。
【００７３】
（ヒンジ連結装置６）
ヒンジ連結装置６は、空調室内機２が稼動するとき、フラットパネル２４の一端を回動可能に支持し、フラットパネル２４をメンテナンス位置まで下降させるとき、フラットパネル２４の一端の支持を解除する。なお、
【００７４】
図１０は、ヒンジ連結装置の分解斜視図である。図１０において、ヒンジ連結装置６は、回動部材６１、滑り部材６２、第１ピン６３、ピニオン歯車６４、モータ６５、固定部
材６６、第２ピン６７及びネジ６８を有している。回動部材６１は、Ｕ字状の固体物であって、端面から外側に向ってと棒状の支持軸６１ａが突出している。さらに、回動部材６１の一端部には、軸孔６１ｂが形成されている。
【００７５】
滑り部材６２は、ピニオン歯車６４と噛み合うラック６２ａと、回動部材６１の軸孔６１ｂの両端を挟むアーム６２ｂとが形成されている。さらに、アーム６２ｂには、第１滑り孔６２ｃが形成され、ラック６２ａの根元近傍には、第２滑り孔６２ｄが形成されている。モータ６５は、ステッピングモータであり、ピニオン歯車６４を回転させる。モータ６５は、ネジ６８が通る貫通孔６５ａを有する。
【００７６】
固定部材６６には、滑り部材６２を滑り移動可能に保持する滑り空間６６ａと、ピニオン歯車６４が挿入される歯車空間６６ｂと、ネジ６８と螺合するネジ孔６６ｃとが形成されている。さらに、滑り空間６６ａを形成する壁には、第１貫通孔６６ｄと第２貫通孔６６ｅとが形成されている。
【００７７】
固定部材６６の滑り空間６６ａに滑り部材６２が配置され、その滑り部材６２のアーム６２ｂに回動部材６１の軸孔６１ｂが挟まれるように配置される。第１ピン６３は、固定部材６６の第１貫通孔６６ｄの一端から挿入され、滑り部材６２の第１滑り孔６２ｃ及び回動部材６１の軸孔６１ｂを通って第１貫通孔６６ｄの他端に出る。
【００７８】
第２ピン６７は、第２貫通孔６６ｅの一端から挿入され、滑り部材６２の第２滑り孔６２ｄを通って第２貫通孔６６ｅの他端に出る。その結果、滑り部材６２は、第１ピン６３及び第２ピン６７に沿って滑り空間を水平移動することができ、回動部材６１は、第１ピン６３を中心に回動することができる。
【００７９】
（ヒンジ連結装置６の動作）
図９、図１０において、モータ６５がピニオン歯車６４を回転させると、ピニオン歯車６４と噛み合うラック６２ａに動力が伝達されて滑り部材６２は第１ピン６３に沿って滑り移動し、滑り部材６２の移動に伴って回動部材６１がフラットパネル２４の方向、或はその反対の方向へ移動する。ここで説明の便宜上、回動部材６１をフラットパネル２４と連結する方向へ移動するようにモータ６５が回転することを正転と呼び、回動部材６１とフラットパネル２４との連結を解除する方向へ移動するようにモータ６５が回転することを逆転と呼ぶ。
【００８０】
フラットパネル２４の端部には、回動部材６１に支持軸６１ａと対峙する支持孔２４ｃ（図８参照）が設けられており、モータ６５が正転し、支持軸６１ａがフラットパネル２４の支持孔２４ｃに挿入されたときは、回動部材６１とフラットパネル２４との連結が成立し、フラットパネル２４は、第１ピン６３を中心に回動することができる。
【００８１】
一方、モータ６５が逆転し、支持軸６１ａがフラットパネル２４の支持孔２４ｃから抜け出たときは、回動部材６１とフラットパネル２４との連結が解消され、フラットパネル２４は、第１ピン６３を中心に回動することができない。
【００８２】
（昇降装置７）
図１１は、昇降装置の分解斜視図である。図１１において、昇降装置７は、ワイヤ７１、滑車７２、ボビン７３、巻取り歯車７４、駆動歯車７５、昇降モータ７６、スイッチ７７及びケース７８を有している。
【００８３】
滑車７２は、滑車部７２ａとカム部７２ｂとが一体に成形されており、滑車部７２ａは、ワイヤ７１を支え、ワイヤ７１の移動に伴って回転する。カム部７２ｂは、小径曲面と
大径曲面とそれら両曲面を結ぶ平面とから成る。
【００８４】
ボビン７３は、ワイヤ７１を巻取る。巻取り歯車７４は、ボビン７３と同軸で連結され一体的に回転する。駆動歯車７５は、巻取り歯車７４と噛み合いボビン７３を回転させる。
【００８５】
昇降モータ７６は、ステッピングモータであり駆動歯車７５を回転させる。昇降モータ７６の回転数は、制御部７０から供給されるパルス数によって制御される。
【００８６】
スイッチ７７は、レバー７７ａを有するマイクロスイッチであり、レバー７７ａが押されることによって、昇降モータ７６の運転を開始させる。レバー７７ａは、常に滑車７２のカム部７２ｂと接触しており、カム部７２ｂの大径曲面と対峙したときに押される。
【００８７】
ケース７８は、支持ケース７８ａとカバー７８ｂとに分割されている。支持ケース７８ａには、滑車７２を支持する第１軸７９ａ、ボビン７３と巻取り歯車７４とを支持する第２軸７９ｂ、スイッチ７７を支持する第３軸７９ｃが形成されている。カバー７８ｂは、支持ケース７８ａに支持された各部品を覆って保護する。
【００８８】
（昇降装置７の動作）
図１２は、昇降装置内部の部品の配置図である。図１２において、昇降装置７がワイヤ７１を繰り出す場合、昇降モータ７６は駆動歯車７５をＣＣＷ方向へ回転させ、巻取り歯車７４をＣＷ方向へ回転させる。これによって、ボビン７３がワイヤ７１を繰り出す方向に回転する。
【００８９】
一方、昇降装置７がワイヤ７１を巻き取る場合、昇降モータ７６は駆動歯車７５をＣＷ方向へ回転させ、巻取り歯車７４をＣＣＷ方向へ回転させる。これによって、ボビン７３がワイヤ７１を巻き取る方向に回転する。紐の繰り出し量および巻き取り量は、昇降モータ７６の回転量に比例しており、制御部７０が、昇降モータ７６へ供給するパルス数を制御することによって、ワイヤ７１の繰り出し量および巻き取り量が制御される。
【００９０】
ワイヤ７１の先端にはフラットパネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときに運転を開始させる信号を発し、レバー７７ａが小径曲面と対峙したときには運転を停止させる信号を発する。滑車７２が回転している間は、運転を開始させる信号と運転を停止させる信号が交互に発生し、これらの信号は、すべて制御部７０に入力される。
【００９１】
しかし、何らかの要因でワイヤ７１が弛み張力がなくなった場合、例えば、メンテナンスのためにワイヤ７１を繰り出してフラットパネル２４を下降させているときに、所定の繰り出し量に達する前に、フラットパネル２４がテーブルなどの上に着地して停止した場合には、ワイヤ７１と滑車部７２ａとの摩擦力が減退し滑車７２が停止する。このため、スイッチ７７からは、運転を開始させる信号又は運転を停止させる信号のいずれか一方が連続的に出力される。このとき、制御部７０では、昇降モータ７６が回転しているときにスイッチ７７からの信号が一定になっていることから、フラットパネル２４が何らかの障害物によって停止したと推定し、直ちに昇降モータ７６を停止させる。
【００９２】
（ロック装置８）
フラットパネル２４が吸込口２０ａを閉じているとき、フラットパネル２４を本体２０に支持しているのは、ヒンジ連結装置６と昇降装置７である。不測の要因で、ヒンジ連結装置６が誤動作しフラットパネル２４の支持を解除し、昇降装置７のワイヤ７１が緩んでしまったときでもフラットパネル２４が落下しないように、空調室内機２はロック装置８をさらに備えている。
【００９３】
図１３は、ロック装置の斜視図である。図１３において、ロック装置８は、可動体８１、第１保持部８２、第２保持部８３、モータ８４及びスプリング８５を有している。可動体８１は、四角柱形状を成し、その一端には傾斜面８１１が形成され、全長が最長である長側面８１２には所定の歯車と噛み合うラック８１ａが形成され、ラック８１ａの下方には中空部８１ｂが形成されている。可動体８１は、長側面８１２を鉛直上方に向け、第１保持部８２に移動可能な状態で保持されている。
【００９４】
第１保持部８２は、上面と一側面とが開放された直方体形状の筐体であり、底面に案内溝８２ａが形成されており、可動体８１がその案内溝８２ａに沿って水平移動する。案内溝８２ａの両端は壁８２１，８２２で挟まれており、一方の壁８２１には可動体８１が通る貫通口８２ｂが形成されている。案内溝８２ａの両端を挟む壁８２１，８２２には壁８２３が隣接しており、壁８２３には、案内溝８２ａと直交する方向に突出する板状突起８２ｃが形成されている。可動体８１は第１保持部８２に保持されているとき、傾斜面８１１は常に第１保持部８２の外側に位置し、ラック８１ａは常に第１保持部８２の内部に位置する。そして、第１保持部８２の板状突起８２ｃは、可動体８１の中空部８１ｂを貫通している。
【００９５】
壁８２３は、モータ８４を固定し、モータ８４の回転軸に連結されたピニオン歯車８４ａを回転可能に支持している。ピニオン歯車８４ａは、可動体８１のラック８１ａと噛み合い、ラック＆ピニオン機構を成している。可動体８１の中空部８１ｂには、スプリング８５が収納されている。スプリング８５は、圧縮コイルスプリングであって、中空部８１ｂの端部と板状突起８２ｃとで挟まれている。
【００９６】
第２保持部８３は、可動体８１が通る案内孔８３ａが形成された固体物であって、フラットパネル２４側に設置される。第２保持部８３の上面には滑らかな曲面８３１が形成されている。
【００９７】
（ロック装置８の動作）
図１３において、可動体８１は、第１保持体８２と第２保持体８３に保持された状態であり、その状態でモータ８４がピニオン歯車８４ａをＣＣＷ方向へ回転させたとき、ピニオン歯車８４ａの回転運動はラック８１ａによって直線運動に変換され、可動体８１が壁８２２に向って滑り移動する。可動体８１が所定距離移動したとき、可動体８１は第２保持部８３の案内孔８３ａから離れる。可動体８１を保持しない第２保持体８３は、上下方向の移動が許容されるので、フラットパネル２４の下降を妨げない。
【００９８】
可動体８１の移動によって、中空部８１ｂの側面と板状突起８２ｃとの距離が短くなるので、スプリング８５は圧縮され反発力を貯える。モータ８４は、電力が供給されている間、スプリング８５の増加する反発力に抗して回転するが、電力が供給されなくなったとき、スプリング８５の反発力によって逆回転し、可動体８１は元の位置へ復帰する。
【００９９】
フラットパネル２４が下降せず第２保持部８３が移動していないとき、可動体８１は第２保持部８３の案内孔８３ａに入る。一方、フラットパネル２４が下降して第２保持部８３が移動しているとき、第２保持部８３が復帰する軌道上で待機する。そして、フラットパネル２４が上昇して吸込口２０ａを閉じたとき、第２保持部８３は、曲面８３１を可動体８１の傾斜面８１１に当てて、可動体８１を押しのけて復帰する。
【０１００】
第２保持部８３に押された可動体８１は、水平移動しスプリング８５を圧縮する。第２保持部８３が完全に復帰したとき、可動体８１は、第２保持部８３の案内孔８３ａを貫通する。その結果、可動体８１がフラットパネル２４の下降を妨げることになる。
【０１０１】
（フラットパネルの開閉動作）
図１４は、フラットパネルが吸込口を開いた状態の斜視図である。図１４において、ヒンジ連結装置６がフラットパネル２４を連結した状態で、ロック装置８がロックを解除し、昇降装置７がワイヤ７１を繰り出したとき、フラットパネル２４は自重によって下降する。しかし、フラットパネル２４の端部はヒンジ連結装置６に連結されているので、フラットパネル２４は端部を軸として吸込口２０ａを開く方向へ回動する。
【０１０２】
一方、昇降装置７がワイヤ７１を巻き取るとき、フラットパネル２４は上昇するが、フラットパネル２４の端部がヒンジ連結装置６に連結されているので、フラットパネル２４は端部を軸として吸込口２０ａを閉じる方向へ回動する。フラットパネル２４が吸込口２０ａを完全に閉じたとき、ロック装置８がフラットパネル２４をロックする。
【０１０３】
（フラットパネルの昇降動作）
図１５は、フラットパネルが下降している状態の斜視図である。図１５において、ヒンジ連結装置６がフラットパネル２４の端部との連結を解除し、ロック装置８がフラットパネル２４のロックを解除し、昇降装置７がワイヤ７１を繰り出したとき、フラットパネル２４は自重によって下降する。一方、昇降装置７がワイヤ７１を巻き取るとき、フラットパネル２４は上昇し、フラットパネル２４が吸込口２０ａを完全に閉じたとき、ロック装置８がフラットパネル２４をロックする。
【０１０４】
フラットパネル２４は２本のワイヤに吊られて、ダストボックス１０９と共に下降するので、ダストボックス１０９を含めたフラットパネル２４の総重量は増加しており、室内の気流によって姿勢が不安定になることはない。但し、塵埃が、ダストボックス１０９内に偏って集積されているときは重心が変動する。このため、本実施形態では、ダストボックス１０９内に塵埃が満載されているときの姿勢と、ダストボックス１０９内が空のときの姿勢とがほぼ同姿勢となるように、フラットパネル２４上のダストボックス１０９の寸法と位置が設定されている。
【０１０５】
具体的には、ダストボックス１０９の長手方向の全長は、フラットパネル２４の長手方向の全長の１／２以上に設定されている。また、ダストボックス１０９の幅方向の全長は、フラットパネル２４の幅方向の全長の１／３以上に設定されている。そして、ダストボックス１０９は、フラットパネル２４が回動するときの回動軸に寄って配置されている。
【０１０６】
＜吹出口モジュール５０の構成部品＞
図１６は吹出口モジュールの拡大断面図であり、図１７は吹出口モジュールの斜視図である。図１６、図１７において、吹出口モジュール５０は、第１吹出流路形成壁部５１、第１風向調節羽根５２、第２風向調節羽根５３、長羽根支持部材５４、短冊状羽根支持部材５５及び断熱材５６がモジュール化されたものである。
【０１０７】
（第１吹出流路形成壁部５１）
第１吹出流路形成壁部５１は、空気流路の終端部に位置し吹出口２０ｂに繋がる第１吹出流路５１ａを形成している。第１吹出流路形成壁部５１は、第２吹出流路４１ａを形成する第２吹出流路形成壁部４１（図３参照）の終端と向かい合う部分に、樹脂性のシール部材貼付面５１１を有しており、そこにシール部材５９が貼り付けられる。シール部材貼付面５１１の幅寸法は、３ｍｍ以上に設定されている。
【０１０８】
第１吹出流路形成壁部５１は、シール部材貼付面５１１から吹出口２０ｂの方向へ延びる外壁５１２及び内壁５１３と、外壁５１２の終端から水平方向に延びるフランジ５１４をさらに有している。外壁５１２と内壁５１３とは所定距離だけ離れて、外壁５１２と内壁５１３との間に断熱空気層５１ｂを形成している。フランジ５１４は、吹出口２０ｂを挟んで吸込口２０ａと反対側に位置し、化粧パネル２１の補強板を兼ねている。
【０１０９】
（第１風向調節羽根５２）
第１風向調節羽根５２は、吹出口２０ｂの近傍に位置し、吹出口２０ｂの長手方向と平行に延びる２つの長羽根５２ａ，５２ｂを有している。長羽根５２ａ，５２ｂは、長羽根支持部材５４によって第１吹出流路形成壁部５１に連結されており、長羽根支持部材５４の支持部５４ａ，５４ｂが吹出口２０ｂの長手方向と並行な軸を中心として回動し、長羽根５２ａ，５２ｂの傾き角度を調節する。但し、空調室内機２が停止しているときは吹出口２０ｂを閉じる。
【０１１０】
（第２風向調節羽根５３）
第２風向調節羽根５３は、第１風向調節羽根５２の上流に位置し、複数の短冊状羽根５３ａと１本の駆動軸５３ｂとを有している。各短冊状羽根５３ａは、短冊状羽根支持部材５５によって第１吹出流路形成壁部５１に連結され、所定の間隔で吹出口２０ｂの長手方向に平行に並んでいる。また、複数の短冊状羽根５３ａは、駆動軸５３ｂによって繋がっており、駆動軸５３ｂが長手方向に往復運動することによって、吹出口２０ｂの長手方向と直行する軸を中心に遥動する。
【０１１１】
（第１風向調節羽根駆動部５７）
第１風向調節羽根駆動部５７は、第１吹出流路形成壁部５１の外側で第１風向調節羽根５２の延長線上に位置する。第１風向調節羽根駆動部５７は、内部にステッピングモータ（図示せず）と、そのステッピングモータの回転を長羽根支持部材５４に伝達する伝達歯車（図示せず）を有している。
【０１１２】
（第２風向調節羽根駆動部５８）
第２風向調節羽根駆動部５８は、第１吹出流路形成壁部５１の外側で第２風向調節羽根５３の駆動軸５３ｂの延長線上に位置する。第２風向調節羽根駆動部５８は、内部にステッピングモータ（図示せず）と、そのステッピングモータの回転を駆動軸５３ｂに伝達する伝達歯車（図示せず）を有している。
【０１１３】
＜制御部の構成＞
図１８は、空調室内機の制御ブロック図である。図１８に示すように、空調室内機２には、ＣＰＵ、メモリ及びモータドライブ回路等が搭載される制御部７０が設けられている。この制御部７０は、上記した室内ファン１３、フィルタ駆動モータ１０４ｆ、ブラシ駆動モータ１０８ｆ、ヒンジ連結装置６のモータ６５、昇降装置７の昇降モータ７６、ロック装置８のモータ８４、２つの位置検知スイッチ１０７、昇降装置７のスイッチ７７、リモコン６０、当該リモコン６０の操作に係る音声を出力するスピーカ９０等と有線又は無線により通信可能に構成される。リモコン６０は、使用者の操作によって、空調室内機２の空調指令（冷房指令、暖房指令、除湿指令、送風指令など）、フラットパネル２４の昇降指令、及び、フィルタ９の清掃指令等を入力するものであって、リモコン６０に入力された各種指令は、空調室内機２の受信部を介して、制御部７０へと送られる。そして、当該指令を受信した制御部７０は、当該指令に基づいて各構成に対して制御信号を出力することにより空調室内機２の運転を制御する。
【０１１４】
そして、本実施形態では、制御部７０は、空調運転が行われている間は、リモコン６０の操作によってフラットパネル２４を下降させる下降指令がなされても、当該指令を受け付けずに、空調運転を継続する。この際、制御部７０は、当該指令を受け付けなかったことを報知する報知音をスピーカ９０から出力させる。
【０１１５】
＜フラットパネルの昇降制御＞
図１９は、フラットパネルの昇降制御を示したフローチャートである。次に、図１９を参照して、フラットパネルの昇降制御について詳細に説明する。
【０１１６】
まず、制御部７０は、リモコン６０の操作によってフラットパネル２４の下降指令がなされたか否かを判断する（ステップＳ１）。そして、下降指令がなされた場合（ステップＳ１：Ｙｅｓ）、制御部７０は、空調運転が停止中か否かを判断する（ステップＳ２）。これに対して、下降指令がなされない場合（ステップＳ１：Ｎｏ）、下降指令がなされるまで当該ステップＳ１の判断を繰り返す。
【０１１７】
そして、空調運転が停止中の場合（ステップＳ２：Ｙｅｓ）、制御部７０は、下降指令を受け付けたことを示す報知音（例えば、「ピッ」）をスピーカ９０から出力させる（ステップＳ３）。その後、制御部７０は、昇降モータ７６を制御してフラットパネル２４の下降を開始する（ステップＳ４）。
【０１１８】
これに対して、空調運転中の場合（ステップＳ２：Ｎｏ）、制御部７０は、下降指令を受け付けなかったことを示す報知音（例えば、「ピッピッピッ」）をスピーカ９０から出力させる（ステップＳ５）。そして、上記した下降指令を無視して、再びステップＳ１の判断を繰り返す。
【０１１９】
［本実施形態の空調室内機（空気調和機）の特徴］
本実施形態の空調室内機２には、以下のような特徴がある。
【０１２０】
本実施形態の空調室内機２では、空調運転中に誤操作でフラットパネル２４を下降させる指令がなされても、当該指令を受け付けないので、そのまま空調運転を継続することができる。その結果、当該指令を受け付けて空調運転を中止する場合と異なり、空気調和された居住空間を再度適切な環境にするまでに時間を要するという不都合を解消することができる。
【０１２１】
また、本実施形態の空調室内機２では、空調運転が行われている間は、フラットパネル２４が本体の取付位置にあるので、本体内に組み込まれる室内ファン１３等の駆動部を当該フラットパネル２４で覆うことができる。これにより、安全性を確保することができる。
【０１２２】
また、本実施形態の空調室内機２は、空調運転とフラットパネル２４の昇降運転とを同時に行わないので、電源容量の小さい環境下（例えば、業務用電源より電源容量が小さい家庭用電源の環境下）でも、当該空調室内機２を利用することができる。
【０１２３】
また、本実施形態の空調室内機２では、当該指令が受付けられなかったことを使用者に報知することができる。
【０１２４】
また、フラットパネル２４を用いて、空調運転とフラットパネル２４の下降運転とを同時に行えば、室内ファン１３の運転による吸込口からの空気の吸引力により、フラットパネル２４が本体側に吸い付いてしまう恐れがある。しかし、この本実施形態の空調室内機２では、空調運転中にフラットパネル２４の下降を行わないので、吸込口２０ａを閉じる形状のフラットパネル２４を用いる場合でも、フラットパネル２４が本体２０側に吸い付く恐れがなく、フラットパネル２４のスムーズな下降を行うことができる。
【０１２５】
また、本実施形態の空調室内機２では、フラットパネル２４と共にダストボックス１０９及びブラシ１０８が下降するので、メンテナンスが容易になる。
【０１２６】
（第２実施形態）
次に、図２１を参照して、本発明の第２実施形態に係る空気調和機のフラットパネルの昇降制御について説明する。この第２実施形態では、暖房運転や冷房運転などの空調運転時にフラットパネルの下降指令を受け付けない第１実施形態と異なり、空調機器の一例としての室内ファンの運転時にフラットパネルの下降指令を受け付けない。フラットパネルの昇降制御以外は、第１実施形態の空気調和機と同様であるので、同一番号を付し、その説明を省略する。
【０１２７】
＜フラットパネルの昇降制御＞
まず、制御部７０は、リモコン６０の操作によってフラットパネル２４の下降指令がなされたか否かを判断する（ステップＳ１０１）。そして、下降指令がなされた場合（ステップＳ１０１：Ｙｅｓ）、制御部７０は、室内ファン１３が停止中か否かを判断する（ステップＳ１０２）。具体的には、制御部７０は、室内ファン１３を駆動するファンモータが駆動しているか否かを判断している。これに対して、下降指令がなされない場合（ステップＳ１０１：Ｎｏ）、下降指令がなされるまで当該ステップＳ１０１の判断を繰り返す。
【０１２８】
そして、室内ファン１３の運転が停止中の場合（ステップＳ１０２：Ｙｅｓ）、制御部７０は、下降指令を受け付けたことを示す報知音（例えば、「ピッ」）をスピーカ９０から出力させる（ステップＳ１０３）。その後、制御部７０は、昇降モータ７６を制御してフラットパネル２４の下降を開始する（ステップＳ４）。
【０１２９】
これに対して、室内ファン１３が運転中の場合（ステップＳ１０２：Ｎｏ）、制御部７０は、下降指令を受け付けなかったことを示す報知音（例えば、「ピッピッピッ」）をスピーカ９０から出力させる（ステップＳ１０５）。そして、上記した下降指令を無視して、再びステップＳ１０１の判断を繰り返す。
【０１３０】
上記したように、室内ファン１３の運転中にフラットパネル２４の下降指令を受け付けないように構成することによって、室内ファン１３の運転とフラットパネル２４の昇降運転とを同時に運転することがないので、電源容量の小さい環境下でも、第２実施形態に係る空気調和機を利用することができる。
また、室内ファン１３の運転が行われている間は、フラットパネル２４が本体の取付位置にあるので、本体内に組み込まれる室内ファン１３をフラットパネル２４で覆うことができる。これにより、安全性を確保することができる。
【０１３１】
（第３実施形態）
次に、図２２を参照して、本発明の第３実施形態に係る空気調和機のフラットパネルの昇降制御について説明する。この第３実施形態では、室内ファンの運転時にフラットパネルの下降指令を受け付けない第２実施形態と異なり、空調機器の一例としての室内熱交換器の運転時にフラットパネルの下降指令を受け付けない。フラットパネルの昇降制御以外は、第１実施形態の空気調和機と同様であるので、同一番号を付し、その説明を省略する。本実施形態の空気調和機では、空気調和機内部のカビの繁殖を抑えるために、冷房・除湿（ドライ）運転終了後に、室内熱交換器を加熱することで空気調和機内部の水分を蒸発させる運転を行うことができる。
【０１３２】
＜フラットパネルの昇降制御＞
この空気調和機では、制御部７０は、リモコン６０の操作によってフラットパネル２４の下降指令がなされたか否かを判断する（ステップＳ２０１）。そして、下降指令がなされた場合（ステップＳ２０１：Ｙｅｓ）、制御部７０は、室内熱交換器１２が停止中か否かを判断する（ステップＳ２０２）。これに対して、下降指令がなされない場合（ステップＳ２０１：Ｎｏ）、下降指令がなされるまで当該ステップＳ２０１の判断を繰り返す。
【０１３３】
そして、室内熱交換器１２の運転が停止中の場合（ステップＳ２０２：Ｙｅｓ）、制御部７０は、下降指令を受け付けたことを示す報知音（例えば、「ピッ」）をスピーカ９０から出力させる（ステップＳ２０３）。その後、制御部７０は、昇降モータ７６を制御してフラットパネル２４の下降を開始する（ステップＳ４）。
【０１３４】
これに対して、室内熱交換器１２が運転中の場合（ステップＳ２０２：Ｎｏ）、制御部７０は、下降指令を受け付けなかったことを示す報知音（例えば、「ピッピッピッ」）をスピーカ９０から出力させる（ステップＳ２０５）。そして、上記した下降指令を無視して、再びステップＳ２０１の判断を繰り返す。
【０１３５】
上記したように、室内熱交換器１２の運転中にフラットパネル２４の下降指令を受け付けないように構成することによって、室内熱交換器１２の運転とフラットパネル２４の昇降運転とを同時に運転することがないので、電源容量の小さい環境下でも、第３実施形態に係る空気調和機を利用することができる。
【０１３６】
（第４実施形態）
次に、図２３を参照して、本発明の第４実施形態に係る空気調和機のフラットパネルの昇降制御について説明する。この第４実施形態では、室内ファン及び室内熱交換器の運転時にフラットパネルの下降指令を受け付けない第２及び第３実施形態と異なり、空調機器の一例としてのフィルタ掃除機構の運転時にフラットパネルの下降指令を受け付けない。フラットパネルの昇降制御以外は、第１実施形態の空気調和機と同様であるので、同一番号を付し、その説明を省略する。
【０１３７】
＜フラットパネルの昇降制御＞
この空気調和機では、制御部７０は、リモコン６０の操作によってフラットパネル２４の下降指令がなされたか否かを判断する（ステップＳ３０１）。そして、下降指令がなされた場合（ステップＳ３０１：Ｙｅｓ）、制御部７０は、フィルタ清掃機構１０が停止中か否かを判断する（ステップＳ３０２）。具体的には、制御部７０は、フィルタ９を移動させるフィルタ駆動モータ１０４ｆが駆動しているか否かを判断している。これに対して、下降指令がなされない場合（ステップＳ３０１：Ｎｏ）、下降指令がなされるまで当該ステップＳ３０１の判断を繰り返す。
【０１３８】
そして、フィルタ清掃機構１０の運転が停止中の場合（ステップＳ３０２：Ｙｅｓ）、制御部７０は、下降指令を受け付けたことを示す報知音（例えば、「ピッ」）をスピーカ９０から出力させる（ステップＳ３０３）。その後、制御部７０は、昇降モータ７６を制御してフラットパネル２４の下降を開始する（ステップＳ４）。
【０１３９】
これに対して、フィルタ清掃機構１０が運転中の場合（ステップＳ３０２：Ｎｏ）、制御部７０は、下降指令を受け付けなかったことを示す報知音（例えば、「ピッピッピッ」）をスピーカ９０から出力させる（ステップＳ３０５）。そして、上記した下降指令を無視して、再びステップＳ３０１の判断を繰り返す。
【０１４０】
上記したように、フィルタ清掃機構１０の運転中にフラットパネル２４の下降指令を受け付けないように構成することによって、フィルタ清掃機構１０の運転とフラットパネル２４の昇降運転とを同時に運転することがないので、電源容量の小さい環境下でも、第４実施形態に係る空気調和機を利用することができる。
また、フィルタ清掃機構１０の運転が行われている間は、フラットパネル２４が本体の取付位置にあるので、本体内に組み込まれる当該フィルタ清掃機構１０の駆動部をフラットパネル２４で覆うことができる。これにより、安全性を確保することができる。
【０１４１】
（第５実施形態）
次に、図２４を参照して、本発明の第５実施形態に係る空気調和機において、タイマ予約設定時におけるフラットパネル及び空調機器の動作制御について説明する。この第５実施形態の空気調和機は、フラットパネル及び空調機器の動作制御以外は、第１実施形態の空気調和機と同様であるので、同一番号を付し、その説明を省略する。
【０１４２】
＜フラットパネルの昇降制御＞
本実施形態の空気調和機の制御部（コントローラ）７０は、冷房運転や暖房運転などの空調運転に関わる空調機器（室内ファン１３、室内熱交換器１２、フィルタ清掃ユニット１０）の運転を所定時刻に開始又は停止させるタイマ予約機能を有している。そして、本実施形態の空気調和機では、フラットパネル２４が下降又は昇降しているときに、空調機器の運転が開始する時刻（以下、予約時刻とする）になった場合、当該フラットパネル２４の下降又は昇降を終了させてから、空調機器の運転を行う。
【０１４３】
具体的には、制御部７０は、フラットパネル２４が昇降中か否かを判断し（ステップＳ４０１）、フラットパネル２４が昇降中でない場合には（ステップＳ４０１：Ｎｏ）、当該判断を繰り返す。一方、フラットパネル２４が昇降（下降又は上昇）中の場合には（ステップＳ４０１：Ｙｅｓ）、制御部７０は、タイマ予約がなされているか否かを判断する（ステップＳ４０２）。このタイマ予約は、ユーザによるリモコン６０の操作等によって設定されている。そして、タイマ予約がなされている場合には（ステップＳ４０２：Ｙｅｓ）、現在時刻とそのタイマ予約に係る予約時刻とを比較して、現在時刻が予約時刻になったか否かを判断する（ステップＳ４０３）。
【０１４４】
ここで、本実施形態では、フラットパネル２４の昇降中に（ステップＳ４０１：Ｙｅｓ）、現在時刻がタイマ予約に係る予約時刻になった場合でも（ステップＳ４０３：Ｙｅｓ）、空調機器の運転を開始せず、その運転開始を遅延させる（停止した状態にしておく）（ステップＳ４０４）。その後、フラットパネル２４の昇降が完了してフラットパネル２４の動作が停止したら（ステップＳ４０５：Ｙｅｓ）、空調機器の運転を開始する（ステップＳ４０６）。
【０１４５】
上記したように、フラットパネル２４が下降又は上昇しているときに、タイマ予約により空調機器の運転が開始される場合でも、その空調機器の運転の開始が昇降パネルの下降又は上昇が終了するまで遅延する。これにより、空調機器とフラットパネル２４とが同時に動作することがないので、電源容量の小さい環境下でも、第５実施形態に係る空気調和機を利用することができる。
【０１４６】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【０１４７】
例えば、上記実施形態では、昇降パネルの一例としてフラットパネル２４ついて説明したが、本発明の天井設置型の空気調和機はこれに限らず、図２０に示すように、昇降パネルが格子状の格子パネル１２４であってもよい。この場合、格子部分を介して空気を吸い込むことができるので、吸込口２０ａを開閉する機構（ヒンジ連結装置６等）が必要となるフラットパネル２４に比べて、構成が簡単になる。
【０１４８】
また、上記第２〜第４実施形態では、フラットパネルが取付位置にあるときに、空調機器としての室内ファン、室内熱交換器及びフィルタ清掃機構の少なくとも１つの運転が行われている間は、フラットパネルを下降させる指令を受け付けないように構成したが、本発明はこれに限らず、本体に収容される空調機器であれば、上記した室内ファン、室内熱交換器及びフィルタ清掃機構に限定されない。具体的には、空調機器としての第１風向調節羽根５２（第１風向調節羽根駆動部５７）及び第２風向調節羽根５３（第２風向調節羽根駆動部５８）の少なくとも１つの運転が行われている間は、フラットパネル２４を下降させる指令を受付けないように構成してもよい。このように構成すれば、第１風向調節羽根５２（第１風向調節羽根駆動部５７）及び第２風向調節羽根５３（第２風向調節羽根駆動部５８）の少なくとも１つと、フラットパネル２４とを同時に運転することがないので、電源容量の小さい環境下でも利用することができる。
【産業上の利用可能性】
【０１４９】
本発明を利用すれば、空調運転中に誤操作で昇降パネルを下降させる指令がなされても空調運転を継続することが可能な天井設置型の空気調和機を得ることができる。
【符号の説明】
【０１５０】
２  空調室内機（空気調和機）
７  昇降機構
９  フィルタ
１０  フィルタ清掃機構（空調機器）
１２  室内熱交換器（空調機器）
１３  室内ファン（送風機、空調機器）
２０  本体
２０ａ  吸込口
２４  フラットパネル（昇降パネル）
６０  リモコン（入力部）
７０  制御部（コントローラ）
９０  スピーカ（音声出力部）
１０８  ブラシ
１０９  ダストボックス
１２４  格子パネル（昇降パネル）